(57)【要約】【課題】サムネイル画像を迅速に表示できるようにするとともに、サムネイル画像を迅速に表示できるようにする。【解決手段】  サムネイルファイル生成処理部８６は、Exifファイルに含まれるサムネイル画像データを、１以上のExifファイルからそれぞれ取得し、取得した１以上のExifファイルのサムネイル画像データを少なくとも含むサムネイルファイルを生成し、記録制御部７９は、サムネイルファイルと、Exifファイルとを光磁気ディスク２１に記録するとともに、FATを更新する。サムネイル画像データの再生が指令された場合、再生制御部８０は、対応するサムネイルファイルを読み出し、表示制御部９０は、サムネイルファイルに含まれる、Exifファイルに対応するサムネイル画像データに基づく画像を表示するよう表示を制御する。本発明は、ディスク記録再生装置に適用することができる。【選択図】図３
2006074462.tif 000002
【特許請求の範囲】
【請求項１】
ディスクにデータを記録し、前記ディスクに記録されたデータを再生する記録再生装置において、
前記ディスクに記録する、画像データと前記画像データに関連するデータである関連データとを少なくとも含む画像ファイルを取得する取得手段と、
前記取得手段により取得された前記画像ファイルに含まれる前記関連データを、１以上の前記画像ファイルからそれぞれ取得し、取得した１以上の前記画像ファイルの前記関連データを少なくとも含むファイルである関連ファイルを生成する関連ファイル生成手段と、
前記関連ファイル生成手段により生成された前記関連ファイルと、前記取得手段により取得された前記画像ファイルとを前記ディスクに記録するとともに、記録する前記関連ファイルおよび前記画像ファイルの前記ディスク上の記録位置を管理する情報である管理情報を前記ディスクに記録する記録手段と、
前記記録手段により記録された前記画像ファイルに含まれる前記関連データの再生が指令された場合、前記ディスクに記録されている前記管理情報に基づいて、再生が指令された前記関連ファイルを読み出す読み出し手段と、
前記読み出し手段により読み出された前記関連ファイルに含まれる、前記画像ファイルに対応する前記関連データに基づく画像を表示するよう表示を制御する表示制御手段と
を備えることを特徴とする記録再生装置。
【請求項２】
ディスクにデータを記録する記録装置において、
前記ディスクに記録する、画像データと前記画像データに関連するデータである関連データとを少なくとも含む画像ファイルを取得する取得手段と、
前記取得手段により取得された前記画像ファイルに含まれる前記関連データを、１以上の前記画像ファイルからそれぞれ取得し、取得した１以上の前記画像ファイルの前記関連データを少なくとも含むファイルである関連ファイルを生成する関連ファイル生成手段と、
前記関連ファイル生成手段により生成された前記関連ファイルと、前記取得手段により取得された前記画像ファイルとを前記ディスクに記録するとともに、記録する前記関連ファイルおよび前記画像ファイルの前記ディスク上の記録位置を管理する情報である管理情報を前記ディスクに記録する記録手段と
を備えることを特徴とする記録装置。
【請求項３】
入力された画像データに基づいて、前記画像データと前記画像データに関連するデータである前記関連データを少なくとも含む前記画像ファイルを生成する画像ファイル生成手段をさらに備え、
前記ファイル取得手段は、前記画像ファイル生成手段により生成された前記画像ファイルを取得する
ことを特徴とする請求項２に記載の記録装置。
【請求項４】
前記画像ファイルは、Exifファイルであり、
前記関連ファイルは、１以上の前記Exifファイルのそれぞれに含まれる前記画像データの関連データであるサムネイル画像データを少なくとも含むサムネイル画像のファイルである
ことを特徴とする請求項２に記載の記録装置。
【請求項５】
前記関連ファイルの前記関連データには、対応する前記画像ファイルの生成日時と前記画像ファイルのデータサイズとが含まれ、
前記管理情報には、記録する前記画像ファイルの生成日時と前記画像ファイルのデータサイズとが含まれる
ことを特徴とする請求項２に記載の記録装置。
【請求項６】
ディスクにデータを記録する記録装置の記録方法において、
前記ディスクに記録する、画像データと前記画像データに関連するデータである関連データとを少なくとも含む画像ファイルを取得する取得ステップと、
前記取得ステップの処理により取得された前記画像ファイルに含まれる前記関連データを、１以上の前記画像ファイルからそれぞれ取得する取得ステップと、
前記取得ステップの処理により取得された１以上の前記画像ファイルの前記関連データを少なくとも含むファイルである関連ファイルを生成する関連ファイル生成ステップと、
前記取得ステップの処理により取得された前記画像ファイルを前記ディスクに記録させるよう記録を制御する第１の記録制御ステップと、
前記関連ファイル生成ステップの処理により生成された前記関連ファイルを前記ディスクに記録させるよう記録を制御する第２の記録制御ステップと、
前記第１および第２の記録制御ステップの処理により記録が制御された前記関連ファイルおよび前記画像ファイルの前記ディスク上の記録位置を管理する情報である管理情報を前記ディスクに記録するよう記録を制御する第３の記録制御ステップと
を含むことを特徴とする記録方法。
【請求項７】
ディスクにデータを記録する記録処理をさせるためのプログラムであって、
前記ディスクに記録する、画像データと前記画像データに関連するデータである関連データとを少なくとも含む画像ファイルを取得する取得ステップと、
前記取得ステップの処理により取得された前記画像ファイルに含まれる前記関連データを、１以上の前記画像ファイルからそれぞれ取得する取得ステップと、
前記取得ステップの処理により取得された１以上の前記画像ファイルの前記関連データを少なくとも含むファイルである関連ファイルを生成する関連ファイル生成ステップと、
前記取得ステップの処理により取得された前記画像ファイルを前記ディスクに記録させるよう記録を制御する第１の記録制御ステップと、
前記関連ファイル生成ステップの処理により生成された前記関連ファイルを前記ディスクに記録させるよう記録を制御する第２の記録制御ステップと、
前記第１および第２の記録制御ステップの処理により記録が制御された前記関連ファイルおよび前記画像ファイルの前記ディスク上の記録位置を管理する情報である管理情報を前記ディスクに記録するよう記録を制御する第３の記録制御ステップと
を含む処理をコンピュータに実行させることを特徴とするプログラム。
【請求項８】
画像データと前記画像データに関連するデータである関連データとを少なくとも含む画像ファイル、１以上の前記画像ファイルからそれぞれ取得された前記関連データを少なくとも含むファイルである関連ファイル、および前記関連ファイルおよび前記画像ファイルのディスク上の記録位置を管理する情報である管理情報が記録されたディスクを再生する再生装置において、
前記ディスクに記録されている前記画像ファイルに含まれる前記関連データの再生が指令された場合、前記ディスクに記録されている前記管理情報に基づいて、再生が指令された前記関連ファイルを読み出す読み出し手段と、
前記読み出し手段により読み出された前記関連ファイルに含まれる、前記画像ファイルに対応する前記関連データに基づく画像を表示するよう表示を制御する表示制御手段と
を備えることを特徴とする再生装置。
【請求項９】
前記画像ファイルは、Exifファイルであり、
前記関連ファイルは、１以上の前記Exifファイルのそれぞれに含まれる前記画像データの関連データであるサムネイル画像データを少なくとも含むサムネイル画像のファイルである
ことを特徴とする請求項８に記載の記録装置。
【請求項１０】
前記読み出し手段により読み出された前記関連ファイルに含まれる、前記画像ファイルに対応する前記関連データと、前記管理情報に含まれる前記画像ファイルとに基づいて、前記関連データが有効であるか否かを判定する判定手段をさらに備え、
前記表示制御手段は、前記判定手段により、前記関連データが有効であると判定された場合、前記関連データに基づく画像を表示するよう表示を制御する
ことを特徴とする請求項８に記載の再生装置。
【請求項１１】
前記関連ファイルの前記関連データには、対応する前記画像ファイルの生成日時と前記画像ファイルのデータサイズとが含まれるとともに、前記管理情報には、記録する前記画像ファイルの生成日時と前記画像ファイルのデータサイズとが含まれ、
前記判定手段は、前記読み出し手段により読み出された前記関連ファイルの前記関連データに含まれる、対応する前記画像ファイルの生成日時および前記画像ファイルのデータサイズと、前記管理情報に含まれる、対応する前記画像ファイルの生成日時および前記画像ファイルのデータサイズとが一致する場合に、前記関連データが有効であると判定する
ことを特徴とする請求項１０に記載の再生装置。
【請求項１２】
前記読み出し手段は、前記ディスクに記録されている前記画像ファイルの再生が指令された場合、前記ディスクに記録されている前記管理情報に基づいて、再生が指令された前記画像ファイルに対応する前記関連ファイルを読み出すとともに、前記画像ファイルを読み出し、
前記表示制御手段は、
前記読み出し手段により読み出された前記関連ファイルに含まれる、前記画像ファイルに対応する前記関連データに基づく画像を表示するよう表示を制御し、
前記読み出し手段により、前記画像ファイルの読み出しが完了した場合、表示している前記関連データに基づく画像に代えて、前記画像ファイルに基づく画像を表示するよう表示を制御する
ことを特徴とする請求項８に記載の再生装置。
【請求項１３】
画像データと前記画像データに関連するデータである関連データとを少なくとも含む画像ファイル、１以上の前記画像ファイルからそれぞれ取得された前記関連データを少なくとも含むファイルである関連ファイル、および前記関連ファイルおよび前記画像ファイルのディスク上の記録位置を管理する情報である管理情報が記録されたディスクを再生する再生装置の再生方法において、
前記ディスクに記録されている前記画像ファイルに含まれる前記関連データの再生が指令された場合、前記ディスクに記録されている前記管理情報に基づいて、再生が指令された前記関連ファイルを読み出す読み出しステップと、
前記読み出しステップの処理により読み出された前記関連ファイルに含まれる、前記画像ファイルに対応する前記関連データに基づく画像を表示するよう表示を制御する表示制御ステップと
を含むことを特徴とする再生方法。
【請求項１４】
画像データと前記画像データに関連するデータである関連データとを少なくとも含む画像ファイル、１以上の前記画像ファイルからそれぞれ取得された前記関連データを少なくとも含むファイルである関連ファイル、および前記関連ファイルおよび前記画像ファイルのディスク上の記録位置を管理する情報である管理情報が記録されたディスクを再生する再生処理をさせるためのプログラムであって、
前記ディスクに記録されている前記画像ファイルに含まれる前記関連データの再生が指令された場合、前記ディスクに記録されている前記管理情報に基づいて、再生が指令された前記関連ファイルを読み出す読み出しステップと、
前記読み出しステップの処理により読み出された前記関連ファイルに含まれる、前記画像ファイルに対応する前記関連データに基づく画像を表示するよう表示を制御する表示制御ステップと
を含む処理をコンピュータに実行させることを特徴とするプログラム。
【発明の詳細な説明】
【技術分野】
【０００１】
本発明は、記録再生装置、記録装置および記録方法、再生装置および再生方法、並びにプログラムに関し、特に、画像を迅速に表示できるようにした記録再生装置、記録装置および記録方法、再生装置および再生方法、並びにプログラムに関する。
【背景技術】
【０００２】
従来、デジタルスチルカメラなどにより撮影された静止画像は、Exif File（エグジフファイル）として記録媒体に記録される。
【０００３】
そして、デジタルスチルカメラの表示部に、記録媒体に記録された静止画像に対応するサムネイル画像を表示させる場合、デジタルスチルカメラは、Exifファイル内のサムネイルデータ（サムネイル画像データ）を読み出して表示させる。例えば、特許文献１には、サムネイル画像を表示させる技術が開示されている。
【０００４】
【特許文献１】特開２００２−２０９１６３号公報
【発明の開示】
【発明が解決しようとする課題】
【０００５】
しかしながら、記録媒体がディスクメディアである場合であって、複数のサムネイル画像を表示させる場合には、複数のExifファイルにアクセスする必要があり、スレッドの移動が何度も生じることになる。そのため、ユーザからのサムネイル画像の表示を指令する操作の後、表示部に表示されるまでの時間が非常にかかるという課題があった。
【０００６】
本発明はこのような状況に鑑みてなされたものであり、サムネイル画像を迅速に表示できるようにするとともに、サムネイル画像を迅速に表示できるようにするものである。
【課題を解決するための手段】
【０００７】
本発明の記録再生装置は、ディスクにデータを記録し、ディスクに記録されたデータを再生する記録再生装置であって、ディスクに記録する、画像データと画像データに関連するデータである関連データとを少なくとも含む画像ファイルを取得する取得手段と、取得手段により取得された画像ファイルに含まれる関連データを、１以上の画像ファイルからそれぞれ取得し、取得した１以上の画像ファイルの関連データを少なくとも含むファイルである関連ファイルを生成する関連ファイル生成手段と、関連ファイル生成手段により生成された関連ファイルと、取得手段により取得された画像ファイルとをディスクに記録するとともに、記録する関連ファイルおよび画像ファイルのディスク上の記録位置を管理する情報である管理情報をディスクに記録する記録手段と、記録手段により記録された画像ファイルに含まれる関連データの再生が指令された場合、ディスクに記録されている管理情報に基づいて、再生が指令された関連ファイルを読み出す読み出し手段と、読み出し手段により読み出された関連ファイルに含まれる、画像ファイルに対応する関連データに基づく画像を表示するよう表示を制御する表示制御手段とを備えることを特徴とする。
【０００８】
第１の本発明においては、ディスクに記録する、画像ファイルに含まれる関連データが、１以上の画像ファイルからそれぞれ取得され、取得された１以上の画像ファイルの関連データを少なくとも含む関連ファイルが生成され、生成された関連ファイルと、画像ファイルとがディスクに記録されるとともに、関連ファイルおよび画像ファイルのディスク上の記録位置を管理する管理情報がディスクに記録される。また、関連データの再生が指令された場合、ディスクに記録されている管理情報に基づいて、再生が指令された関連ファイルが読み出され、関連ファイルに含まれる、画像ファイルに対応する関連データに基づく画像の表示が制御される。
【０００９】
本発明の記録装置は、ディスクに記録する、画像データと画像データに関連するデータである関連データとを少なくとも含む画像ファイルを取得する取得手段と、取得手段により取得された画像ファイルに含まれる関連データを、１以上の画像ファイルからそれぞれ取得し、取得した１以上の画像ファイルの関連データを少なくとも含むファイルである関連ファイルを生成する関連ファイル生成手段と、関連ファイル生成手段により生成された関連ファイルと、取得手段により取得された画像ファイルとをディスクに記録するとともに、記録する関連ファイルおよび画像ファイルのディスク上の記録位置を管理する情報である管理情報をディスクに記録する記録手段とを備えることを特徴とする。
【００１０】
入力された画像データに基づいて、画像データと画像データに関連するデータである関連データを少なくとも含む画像ファイルを生成する画像ファイル生成手段をさらに備え、ファイル取得手段は、画像ファイル生成手段により生成された画像ファイルを取得するものとすることができる。
【００１１】
画像ファイルは、Exifファイルであり、関連ファイルは、１以上のExifファイルのそれぞれに含まれる画像データの関連データであるサムネイル画像データを少なくとも含むサムネイル画像のファイルであるものとすることができる。
【００１２】
関連ファイルの関連データには、対応する画像ファイルの生成日時と画像ファイルのデータサイズとが含まれ、管理情報には、記録する画像ファイルの生成日時と画像ファイルのデータサイズとが含まれるものとすることができる。
【００１３】
本発明の記録方法は、ディスクに記録する、画像データと画像データに関連するデータである関連データとを少なくとも含む画像ファイルを取得する取得ステップと、取得ステップの処理により取得された画像ファイルに含まれる関連データを、１以上の画像ファイルからそれぞれ取得する取得ステップと、取得ステップの処理により取得された１以上の画像ファイルの関連データを少なくとも含むファイルである関連ファイルを生成する関連ファイル生成ステップと、取得ステップの処理により取得された画像ファイルをディスクに記録させるよう記録を制御する第１の記録制御ステップと、関連ファイル生成ステップの処理により生成された関連ファイルをディスクに記録させるよう記録を制御する第２の記録制御ステップと、第１および第２の記録制御ステップの処理により記録が制御された関連ファイルおよび画像ファイルのディスク上の記録位置を管理する情報である管理情報をディスクに記録するよう記録を制御する第３の記録制御ステップとを含むことを特徴とする。
【００１４】
本発明の第１のプログラムは、ディスクに記録する、画像データと画像データに関連するデータである関連データとを少なくとも含む画像ファイルを取得する取得ステップと、取得ステップの処理により取得された画像ファイルに含まれる関連データを、１以上の画像ファイルからそれぞれ取得する取得ステップと、取得ステップの処理により取得された１以上の画像ファイルの関連データを少なくとも含むファイルである関連ファイルを生成する関連ファイル生成ステップと、取得ステップの処理により取得された画像ファイルをディスクに記録させるよう記録を制御する第１の記録制御ステップと、関連ファイル生成ステップの処理により生成された関連ファイルをディスクに記録させるよう記録を制御する第２の記録制御ステップと、第１および第２の記録制御ステップの処理により記録が制御された関連ファイルおよび画像ファイルのディスク上の記録位置を管理する情報である管理情報をディスクに記録するよう記録を制御する第３の記録制御ステップとを含む処理をコンピュータに実行させることを特徴とする。
【００１５】
第２の本発明においては、画像ファイルが取得され、取得された画像ファイルに含まれる関連データが、１以上の画像ファイルからそれぞれ取得され、関連ファイルが生成される。そして、画像ファイル、関連ファイル、および画像ファイルと関連ファイルのディスク上の記録位置を管理する管理情報がディスクに記録するよう記録が制御される。
【００１６】
本発明の再生装置は、ディスクに記録されている画像ファイルに含まれる関連データの再生が指令された場合、ディスクに記録されている管理情報に基づいて、再生が指令された関連ファイルを読み出す読み出し手段と、読み出し手段により読み出された関連ファイルに含まれる、画像ファイルに対応する関連データに基づく画像を表示するよう表示を制御する表示制御手段とを備えることを特徴とする。
【００１７】
画像ファイルは、Exifファイルであり、関連ファイルは、１以上のExifファイルのそれぞれに含まれる画像データの関連データであるサムネイル画像データを少なくとも含むサムネイル画像のファイルであるものとすることができる。
【００１８】
読み出し手段により読み出された関連ファイルに含まれる、画像ファイルに対応する関連データと、管理情報に含まれる画像ファイルとに基づいて、関連データが有効であるか否かを判定する判定手段をさらに備え、表示制御手段は、判定手段により、関連データが有効であると判定された場合、関連データに基づく画像を表示するよう表示を制御するものとすることができる。
【００１９】
関連ファイルの関連データには、対応する画像ファイルの生成日時と画像ファイルのデータサイズとが含まれるとともに、管理情報には、記録する画像ファイルの生成日時と画像ファイルのデータサイズとが含まれ、判定手段は、読み出し手段により読み出された関連ファイルの関連データに含まれる、対応する画像ファイルの生成日時および画像ファイルのデータサイズと、管理情報に含まれる、対応する画像ファイルの生成日時および画像ファイルのデータサイズとが一致する場合に、関連データが有効であると判定するものとすることができる。
【００２０】
読み出し手段は、ディスクに記録されている画像ファイルの再生が指令された場合、ディスクに記録されている管理情報に基づいて、再生が指令された画像ファイルに対応する関連ファイルを読み出すとともに、画像ファイルを読み出し、表示制御手段は、読み出し手段により読み出された関連ファイルに含まれる、画像ファイルに対応する関連データに基づく画像を表示するよう表示を制御し、読み出し手段により、画像ファイルの読み出しが完了した場合、表示している関連データに基づく画像に代えて、画像ファイルに基づく画像を表示するよう表示を制御するものとすることができる。
【００２１】
本発明の再生方法は、ディスクに記録されている画像ファイルに含まれる関連データの再生が指令された場合、ディスクに記録されている管理情報に基づいて、再生が指令された関連ファイルを読み出す読み出しステップと、読み出しステップの処理により読み出された関連ファイルに含まれる、画像ファイルに対応する関連データに基づく画像を表示するよう表示を制御する表示制御ステップとを含むことを特徴とする。
【００２２】
本発明の第２のプログラムは、ディスクに記録されている画像ファイルに含まれる関連データの再生が指令された場合、ディスクに記録されている管理情報に基づいて、再生が指令された関連ファイルを読み出す読み出しステップと、読み出しステップの処理により読み出された関連ファイルに含まれる、画像ファイルに対応する関連データに基づく画像を表示するよう表示を制御する表示制御ステップとを含む処理をコンピュータに実行させることを特徴とする。
【００２３】
第３の本発明においては、ディスクに記録されている管理情報に基づいて、再生が指令された関連ファイルが読み出され、読み出された関連ファイルに含まれる、画像ファイルに対応する関連データに基づく画像の表示が制御される。
【発明の効果】
【００２４】
本発明によれば、画像を表示することができる。特に、本発明によれば、ディスクに記録された画像ファイルに含まれる関連データの再生が指令された場合に、関連データに基づく画像を迅速に表示することができる。また、画像を表示する場合における消費電力を抑えることができる。
【発明を実施するための最良の形態】
【００２５】
以下に本発明の実施の形態を説明するが、本明細書に記載の発明と、発明の実施の形態との対応関係を例示すると、次のようになる。この記載は、本明細書に記載されている発明をサポートする実施の形態が、本明細書に記載されていることを確認するためのものである。したがって、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２６】
さらに、この記載は、本明細書に記載されている発明の全てを意味するものでもない。換言すれば、この記載は、本明細書に記載されている発明であって、この出願では請求されていない発明の存在、すなわち、将来、分割出願されたり、補正により出現、追加される発明の存在を否定するものではない。
【００２７】
請求項１に記載の記録再生装置は、
ディスク（例えば、図３の光磁気ディスク２１）にデータを記録し、前記ディスクに記録されたデータを再生する記録再生装置（例えば、図３の記録再生装置１）であって、
前記ディスクに記録する、画像データ（例えば、撮影画像データ）と前記画像データに関連するデータである関連データ（例えば、サムネイル画像データ）とを少なくとも含む画像ファイル（例えば、図４のExifファイル）を取得する取得手段（例えば、図３の画像データ取得部８２およびExifファイル生成部８５）と、
前記取得手段により取得された前記画像ファイルに含まれる前記関連データを、１以上の前記画像ファイルからそれぞれ取得し、取得した１以上の前記画像ファイルの前記関連データを少なくとも含むファイルである関連ファイル（例えば、図２０のサムネイルファイル）を生成する関連ファイル生成手段（例えば、図３のサムネイルファイル生成処理部８６）と、
前記関連ファイル生成手段により生成された前記関連ファイルと、前記取得手段により取得された前記画像ファイルとを前記ディスクに記録するとともに、記録する前記関連ファイルおよび前記画像ファイルの前記ディスク上の記録位置を管理する情報である管理情報（例えば、図１９のFAT領域に記録される情報）を前記ディスクに記録する記録手段（例えば、図３の記録制御部７９）と、
前記記録手段により記録された前記画像ファイルに含まれる前記関連データの再生が指令された場合、前記ディスクに記録されている前記管理情報に基づいて、再生が指令された前記関連ファイルを読み出す読み出し手段（例えば、図３の再生制御部８０）と、
前記読み出し手段により読み出された前記関連ファイルに含まれる、前記画像ファイルに対応する前記関連データに基づく画像を表示するよう表示を制御する表示制御手段（例えば、図３の表示制御部９０）と
を備えることを特徴とする。
【００２８】
請求項２に記載の記録装置は、
ディスク（例えば、図３の光磁気ディスク２１）にデータを記録する記録装置（例えば、図３の記録再生装置１）であって、
前記ディスクに記録する、画像データ（例えば、撮影画像データ）と前記画像データに関連するデータである関連データ（例えば、サムネイル画像データ）とを少なくとも含む画像ファイル（例えば、図４のExifファイル）を取得する取得手段（例えば、図３の画像処理制御部８１）と、
前記取得手段により取得された前記画像ファイルに含まれる前記関連データを、１以上の前記画像ファイルからそれぞれ取得し、取得した１以上の前記画像ファイルの前記関連データを少なくとも含むファイルである関連ファイル（例えば、図２０のサムネイルファイル）を生成する関連ファイル生成手段（例えば、図３のサムネイルファイル生成処理部８６）と、
前記関連ファイル生成手段により生成された前記関連ファイルと、前記取得手段により取得された前記画像ファイルとを前記ディスクに記録するとともに、記録する前記関連ファイルおよび前記画像ファイルの前記ディスク上の記録位置を管理する情報である管理情報（例えば、図１９のFAT領域に記録される情報）を前記ディスクに記録する記録手段（例えば、図３の記録制御部７９）と
を備えることを特徴とする。
【００２９】
請求項３に記載の記録装置は、
入力された画像データに基づいて、前記画像データと前記画像データに関連するデータである前記関連データを少なくとも含む前記画像ファイルを生成する画像ファイル生成手段（例えば、図３のExifファイル生成部８５）をさらに備え、
前記ファイル取得手段は、前記画像ファイル生成手段により生成された前記画像ファイルを取得する
ことを特徴とする。
【００３０】
請求項４に記載の記録装置の前記画像ファイルは、Exifファイルであり、
前記関連ファイルは、１以上の前記Exifファイルのそれぞれに含まれる前記画像データの関連データであるサムネイル画像データを少なくとも含むサムネイル画像のファイルである
ことを特徴とする。
【００３１】
請求項５に記載の記録装置の前記関連ファイルの前記関連データ（例えば、図２０のサムネイルスロットのヘッダ）には、対応する前記画像ファイルの生成日時と前記画像ファイルのデータサイズとが含まれ、
前記管理情報（例えば、図１９のFATで管理される情報）には、記録する前記画像ファイルの生成日時と前記画像ファイルのデータサイズとが含まれる
ことを特徴とする。
【００３２】
請求項６に記載の記録方法は、
ディスク（例えば、図３の光磁気ディスク２１）にデータを記録する記録装置（例えば、図３の記録再生装置１）の記録方法であって、
前記ディスクに記録する、画像データ（例えば、撮影画像データ）と前記画像データに関連するデータである関連データ（例えば、サムネイル画像データ）とを少なくとも含む画像ファイル（例えば、図４のExifファイル）を取得する取得ステップ（例えば、図１１のステップＳ１６）と、
前記取得ステップの処理により取得された前記画像ファイルに含まれる前記関連データを、１以上の前記画像ファイルからそれぞれ取得する取得ステップ（例えば、図１２のステップＳ２０）と、
前記取得ステップの処理により取得された１以上の前記画像ファイルの前記関連データを少なくとも含むファイルである関連ファイル（例えば、図２０のサムネイルファイル）を生成する関連ファイル生成ステップ（例えば、図１２のステップＳ２２）と、
前記取得ステップの処理により取得された前記画像ファイルを前記ディスクに記録させるよう記録を制御する第１の記録制御ステップ（例えば、図１２のステップＳ１７）と、
前記関連ファイル生成ステップの処理により生成された前記関連ファイルを前記ディスクに記録させるよう記録を制御する第２の記録制御ステップ（例えば、図１２のステップＳ２３）と、
前記第１および第２の記録制御ステップの処理により記録が制御された前記関連ファイルおよび前記画像ファイルの前記ディスク上の記録位置を管理する情報である管理情報（例えば、図１９のFAT領域に記録される情報）を前記ディスクに記録するよう記録を制御する第３の記録制御ステップ（例えば、図１２のステップＳ２４）と
を含むことを特徴とする。
【００３３】
請求項７に記載のプログラムは、
ディスク（例えば、図３の光磁気ディスク２１）にデータを記録する記録処理をさせるためのプログラムであって、
前記ディスクに記録する、画像データ（例えば、撮影画像データ）と前記画像データに関連するデータである関連データ（例えば、サムネイル画像データ）とを少なくとも含む画像ファイル（例えば、図４のExifファイル）を取得する取得ステップ（例えば、図１１のステップＳ１６）と、
前記取得ステップの処理により取得された前記画像ファイルに含まれる前記関連データを、１以上の前記画像ファイルからそれぞれ取得する取得ステップ（例えば、図１２のステップＳ２０）と、
前記取得ステップの処理により取得された１以上の前記画像ファイルの前記関連データを少なくとも含むファイルである関連ファイル（例えば、図２０のサムネイルファイル）を生成する関連ファイル生成ステップ（例えば、図１２のステップＳ２２）と、
前記取得ステップの処理により取得された前記画像ファイルを前記ディスクに記録させるよう記録を制御する第１の記録制御ステップ（例えば、図１２のステップＳ１７）と、
前記関連ファイル生成ステップの処理により生成された前記関連ファイルを前記ディスクに記録させるよう記録を制御する第２の記録制御ステップ（例えば、図１２のステップＳ２３）と、
前記第１および第２の記録制御ステップの処理により記録が制御された前記関連ファイルおよび前記画像ファイルの前記ディスク上の記録位置を管理する情報である管理情報（例えば、図１９のFAT領域に記録される情報）を前記ディスクに記録するよう記録を制御する第３の記録制御ステップ（例えば、図１２のステップＳ２４）と
を含む処理をコンピュータに実行させることを特徴とする。
【００３４】
請求項８に記載の再生装置は、
画像データ（例えば、撮影画像データ）と前記画像データに関連するデータである関連データ（例えば、サムネイル画像データ）とを少なくとも含む画像ファイル（例えば、Exifファイル）、１以上の前記画像ファイルからそれぞれ取得された前記関連データを少なくとも含むファイルである関連ファイル（例えば、サムネイルファイル）、および前記関連ファイルおよび前記画像ファイルのディスク上の記録位置を管理する情報である管理情報（例えば、FATで管理される情報）が記録されたディスク（例えば、図３の光磁気ディスク２１）を再生する再生装置（例えば、図３の記録再生装置１）であって、
前記ディスクに記録されている前記画像ファイルに含まれる前記関連データの再生が指令された場合、前記ディスクに記録されている前記管理情報に基づいて、再生が指令された前記関連ファイルを読み出す読み出し手段（例えば、図３の再生制御部８０）と、
前記読み出し手段により読み出された前記関連ファイルに含まれる、前記画像ファイルに対応する前記関連データに基づく画像を表示するよう表示を制御する表示制御手段（例えば、図３の表示制御部９０）と
を備えることを特徴とする。
【００３５】
請求項９に記載の再生装置の前記画像ファイルは、Exifファイルであり、
前記関連ファイルは、１以上の前記Exifファイルのそれぞれに含まれる前記画像データの関連データであるサムネイル画像データを少なくとも含むサムネイル画像のファイルである
ことを特徴とする。
【００３６】
請求項１０に記載の再生装置の前記読み出し手段により読み出された前記関連ファイルに含まれる、前記画像ファイルに対応する前記関連データと、前記管理情報に含まれる前記画像ファイルとに基づいて、前記関連データが有効であるか否かを判定する判定手段（例えば、図３のサムネイル画像有効判定部８９）をさらに備え、
前記表示制御手段は、前記判定手段により、前記関連データが有効であると判定された場合、前記関連データに基づく画像を表示するよう表示を制御する
ことを特徴とする。
【００３７】
請求項１１に記載の再生装置の前記関連ファイルの前記関連データ（例えば、サムネイルファイルのサムネイルスロットのヘッダ）には、対応する前記画像ファイルの生成日時と前記画像ファイルのデータサイズとが含まれるとともに、前記管理情報には、記録する前記画像ファイルの生成日時と前記画像ファイルのデータサイズとが含まれ、
前記判定手段は、前記読み出し手段により読み出された前記関連ファイルの前記関連データに含まれる、対応する前記画像ファイルの生成日時および前記画像ファイルのデータサイズと、前記管理情報に含まれる、対応する前記画像ファイルの生成日時および前記画像ファイルのデータサイズとが一致する場合（例えば、図２４のステップＳ４６でYESと判定された場合）に、前記関連データが有効であると判定する
ことを特徴とする。
【００３８】
請求項１２に記載の再生装置の前記読み出し手段は、前記ディスクに記録されている前記画像ファイルの再生が指令された場合、前記ディスクに記録されている前記管理情報に基づいて、再生が指令された前記画像ファイルに対応する前記関連ファイルを読み出すとともに、前記画像ファイルを読み出し（例えば、図２５のステップＳ６７の読み出し処理およびステップＳ６８）、
前記表示制御手段は、
前記読み出し手段により読み出された前記関連ファイルに含まれる、前記画像ファイルに対応する前記関連データに基づく画像を表示するよう表示を制御し（例えば、図２５のステップＳ６７の表示処理）、
前記読み出し手段により、前記画像ファイルの読み出しが完了した場合、表示している前記関連データに基づく画像に代えて、前記画像ファイルに基づく画像を表示するよう表示を制御する（例えば、図２５のステップＳ７０）
ことを特徴とする。
【００３９】
請求項１３に記載の再生方法は、
画像データ（例えば、撮影画像データ）と前記画像データに関連するデータである関連データ（例えば、サムネイル画像データ）とを少なくとも含む画像ファイル（例えば、Exifファイル）、１以上の前記画像ファイルからそれぞれ取得された前記関連データを少なくとも含むファイルである関連ファイル（例えば、サムネイルファイル）、および前記関連ファイルおよび前記画像ファイルのディスク上の記録位置を管理する情報である管理情報（例えば、FATで管理される情報）が記録されたディスク（例えば、図３の光磁気ディスク２１）を再生する再生装置（例えば、図３の記録再生装置１）の再生方法であって、
前記ディスクに記録されている前記画像ファイルに含まれる前記関連データの再生が指令された場合、前記ディスクに記録されている前記管理情報に基づいて、再生が指令された前記関連ファイルを読み出す読み出しステップ（例えば、図２４のステップＳ４３）と、
前記読み出しステップの処理により読み出された前記関連ファイルに含まれる、前記画像ファイルに対応する前記関連データに基づく画像を表示するよう表示を制御する表示制御ステップ（例えば、図２４のステップＳ４７）と
を含むことを特徴とする。
【００４０】
請求項１４に記載のプログラムは、
画像データ（例えば、撮影画像データ）と前記画像データに関連するデータである関連データ（例えば、サムネイル画像データ）とを少なくとも含む画像ファイル（例えば、Exifファイル）、１以上の前記画像ファイルからそれぞれ取得された前記関連データを少なくとも含むファイルである関連ファイル（例えば、サムネイルファイル）、および前記関連ファイルおよび前記画像ファイルのディスク上の記録位置を管理する情報である管理情報（例えば、FATで管理される情報）が記録されたディスク（例えば、図３の光磁気ディスク２１）を再生する再生処理をさせるためのプログラムであって、
前記ディスクに記録されている前記画像ファイルに含まれる前記関連データの再生が指令された場合、前記ディスクに記録されている前記管理情報に基づいて、再生が指令された前記関連ファイルを読み出す読み出しステップ（例えば、図２４のステップＳ４３）と、
前記読み出しステップの処理により読み出された前記関連ファイルに含まれる、前記画像ファイルに対応する前記関連データに基づく画像を表示するよう表示を制御する表示制御ステップ（例えば、図２４のステップＳ４７）と
を含む処理をコンピュータに実行させることを特徴とする。
【００４１】
以下、図を参照して、本発明を適用した一実施の形態について説明する。
【００４２】
図１は、本発明を適用した記録再生装置１の構成を示すブロック図である。記録再生装置１は、光磁気ディスク２１にデータを記録したり、光磁気ディスク２１からデータを読み出して再生する処理を実行するものである。
【００４３】
本実施の形態においては、記録媒体として光磁気ディスク２１が使用される。また記録再生装置１は、ビデオデータやオーディオデータなどのコンテンツデータを記録再生するために、ファイル管理システムとしてFAT(File Allocation Table)システムを使用する。これにより、本発明を適用した記録再生装置１は、現行のパーソナルコンピュータに対して互換性を保証することができる。なお、光磁気ディスク２１の詳細は、図６乃至図１０を参照して後述する。
【００４４】
記録再生装置１には、音声処理ブロック１１、画像処理ブロック１２、メディアドライブ部１３、操作入力部１４、フラッシュメモリ１５が設けられている。
【００４５】
音声処理ブロック１１は、音声に関する情報を処理する。画像処理ブロック１２は、画像に関する情報を処理する。メディアドライブ部１３は、装着された光磁気ディスク２１にデータを記録させたり、光磁気ディスク２１に記録されているデータを再生する。操作入力部１４は、ユーザからの操作入力を受け付ける。フラッシュメモリ１５は、音声処理ブロック１１のCPU（Central Processing Unit）４１から供給されるデータを適宜記憶する。メディアドライブ部１３の制御は、本実施の形態においては音声処理ブロック１１が行なう。
【００４６】
音声処理ブロック１１には、CPU４１、音声信号入力部４２、Ａ／Ｄ（アナログ／ディジタル）変換処理部４３、音声データ処理部４４、Ｄ／Ａ変換処理部（ディジタル／アナログ）変換処理部４５、スピーカ４６、メモリコントローラ４７、およびDRAM（Dynamic Random Access Memory）４８が設けられている。
【００４７】
CPU４１は、各部を制御する。例えば、CPU４１は、音声処理ブロック１１の各部、メディアドライブ部１３、画像処理ブロック１２のCPU５１を制御する。また、CPU４１は、音声データ処理部４４から各種制御情報の入力を受け、各部を制御して、所定の処理を実行させる。本実施の形態では、画像処理ブロック１２が生成するサムネイルファイルや、光磁気ディスク２１から読み出したり、更新するFAT領域の情報は、音声処理ブロック１１のCPU４１が管理する。
【００４８】
音声信号入力部４２は、音声信号の入力を受け付け、受け付けた音声信号（アナログ信号）を、Ａ／Ｄ変換処理部４３に供給する。Ａ／Ｄ変換処理部４３は、アナログの音声信号を、Ａ／Ｄ変換し、ディジタルの音声データとする。また、Ａ／Ｄ変換処理部４３は、ディジタルの音声データを、音声データ処理部４４に供給する。
【００４９】
音声データ処理部４４は、音声データに対して各種の処理を実行する。例えば、音声データ処理部４４は、Ａ／Ｄ変換処理部４３から供給された音声データを、光磁気ディスク２１に記録するためのフォーマットに変換する。また、音声データ処理部４４は、例えばDRAM４８から供給された、所定の規格でエンコードされている音声データを、デコードする。音声データ処理部４４は、デコードした音声データをＤ／Ａ変換処理部４５に供給する。Ｄ／Ａ変換処理部４５は、ディジタルの音声データをＤ／Ａ変換し、アナログの音声信号とする。また、Ｄ／Ａ変換部４５は、変換したアナログの音声信号を、スピーカ４６に供給する。スピーカ４６は、音声信号に基づく音声を出力する。
【００５０】
また、音声データ処理部４４は、光磁気ディスク２１に記録するためのフォーマットに変換したデータのうち、光磁気ディスク２１に記録される記録データを、DRAM４８に供給する。DRAM４８は、メモリコントローラ４７から制御に基づいて、音声データ処理部４４から供給された、光磁気ディスク２１に記録するための音声データを記憶する。また、音声データ処理部４４は、光磁気ディスク２１に記録するための後のフォーマットに変換したデータのうち、各種制御情報を、CPU４１に供給する。
【００５１】
メモリコントローラ４７は、メディアドライブ部１３からの再生データや、メディアドライブ部１３に供給する記録データについての受け渡しの制御を行なう。また、メモリコントローラ４７は、所定のタイミングで、DRAM４８からデータを読み出させ、メディアドライブ部１３に供給させる。また、メモリコントローラ４７は、音声データ処理部４４から供給されたデータをDRAM４８に記憶させる。
【００５２】
画像処理ブロック１２には、CPU５１、レンズ５２、CCD（Charge-Coupled Devices）５３、DRAM５４、メモリコントローラ５５、画像データ処理部５６、LCD（Liquid Crystal Display）コントローラ５７、およびLCD５８が設けられている。
【００５３】
CPU５１は、各部を制御する。例えば、CPU５１は、CPU４１からの要求に基づいて、画像処理ブロック１２の各部を制御して、所定の処理を実行させる。例えば、CPU５１は、CPU４１からの制御に基づいて、撮影を行なうよう各部を制御する。また、例えば、CPU５１は、CPU４１からの制御に基づいて、JPEG画像データのエンコードやデコードの制御、LCD５８への表示制御の指令、JPEGデータ、またはOSDデータの転送制御を行なう。
【００５４】
レンズ５２は、被写体の光学像を取り込む。すなわち、レンズ５２は、入射される被写体の光学像を、CCD５３上で結像するように集光する。CCD５３は、撮像素子であり、レンズ５２を通過して入射する光学像を、画素毎に光電変換により電圧値からなる電気信号に変換して蓄え、これを画像信号としてDRAM５４に供給する。DRAM５４は、CCD５３から供給された画像信号を、メモリコントローラ５５からの制御に基づいて記憶する。また、DRAM５４は、メモリコントローラ５５からの制御に基づいて、所定のデータを読み出し、音声処理ブロック１１のDRAM４８に供給したり、音声処理ブロック１１のDRAM４８から供給されるデータを記憶する。
【００５５】
メモリコントローラ５５は、メディアドライブ部１３に供給する記録データや、CCD５３から供給されたデータについての受け渡しの制御を行なう。また、メモリコントローラ５５は、所定のタイミングでDRAM５４からデータを読み出させ、DRAM４８に供給させる。ユーザにより、操作入力部１４に対して、所定のファイルの読出要求があった場合、CPU４１は、メディアドライブ部１３に、光磁気ディスク２１のFAT領域に記録されている管理情報（FAT領域の情報）の読み出しを実行させる。読み出されたFAT情報はメモリコントローラ４７によってDRAM４８に書き込まれる。CPU４１は、FAT情報に基づいて、要求されたファイルを特定し、メディアドライブ部１３に、ファイルを構成するデータの読み出しを実行させる。また、ファイルを光磁気ディスク２１に記録させる場合、CPU４１は、メディアドライブ部１３に、記録データを供給して記録させるとともに、該当するFAT情報を更新する。
【００５６】
画像データ処理部５６は、CPU５１からの制御に基づいて、画像データに関する各種の処理を実行する。例えば、画像データ処理部５６は、撮影画像に基づいてExifファイルを生成したり、サムネイルファイルを生成する。LCDコントローラ５７は、CPU５１からの制御に基づいて、LCD５８への表示を制御する。例えば、LCDコントローラ５７は、LCD５８に撮影された画像やサムネイル画像を表示させる。LCD５８は、LCDコントローラ５７からの制御に基づいて、各種の画像を表示する。例えば、LCD５８は、LCDコントローラ５７からの制御に基づいて、撮影画像やサムネイル画像を表示する。
【００５７】
なお、図１においては、２つのCPU４１、CPU５１を設けるようにしたが、画像と音声を処理する１つのCPUとしてもよい。また、DRAMやメモリコントローラについても同様に、画像と音声を処理する１つのDRAMとメモリコントローラを設けるようにしてもよい。
【００５８】
なお、CPU４１とCPU５１との通信、およびDRAM４８とDRAM５４との間のデータ転送は、実際には、同一の１本のSIO(同期式シリアル通信)で行なうものとされる。このCPU４１とCPU５１の間の通信では、例えば、カメラコントロール、表示の為の文字情報等、サイズの小さいCMD,DATAのやり取りが行われる。また、DRAM４８とDRAM５４の間のデータ転送では、撮影後のJPEGデータ（Exifファイル）転送、表示用のJPEGファイルの転送、表示用のOSDデータ転送等に使用される。
【００５９】
図２は、図１のメディアドライブ部１３の構成例を示すブロック図である。
【００６０】
メディアドライブ部１３には、磁気ヘッドドライバ６１、磁気ヘッド６２、光学ヘッド６３、レーザドライバ６４、ＲＦアンプ６５、サーボ回路６６、モータドライバ６７、およびスピンドルモータ６８が設けられている。
【００６１】
メディアドライブ部１３では、ターンテーブルに装填された光磁気ディスク２１をスピンドルモータ６８によってＣＬＶ方式で回転駆動させる。この光磁気ディスク２１に対しては記録および再生時に光学ヘッド６３によってレーザ光が照射される。
【００６２】
光学ヘッド６３は、記録時には記録トラックをキュリー温度まで加熱するための高レベルのレーザ出力を行い、また再生時には磁気カー効果により反射光からデータを検出するための比較的低レベルのレーザ出力を行なう。このため、光学ヘッド６３には、ここでは詳しい図示は省略するがレーザを出力するためのレーザダイオード、偏光ビームスプリッタや対物レンズ等からなる光学系、および反射光を検出するためのディテクタが搭載されている。光学ヘッド６３に備えられる対物レンズとしては、例えば２軸機構によってディスク半径方向およびディスクに接離する方向に変位可能に保持されている。
【００６３】
また、光磁気ディスク２１を挟んで光学ヘッド６３と対向する位置には磁気ヘッド６２が配置されている。磁気ヘッド６２は記録データによって変調された磁界を光磁気ディスク２１に印加する動作を行なう。また、図示せぬ光学ヘッド６３全体および磁気ヘッド６２をディスク半径方向に移動させためスレッドモータおよびスレッド機構が備えられている。
【００６４】
光学ヘッド６３および磁気ヘッド６２は、次世代ＭＤ２のディスクの場合には、パルス駆動磁界変調を行なうことで、微少なマークを形成することができる。現行ＭＤのディスクや、次世代ＭＤ１のディスクの場合には、ＤＣ発光の磁界変調方式とされる。
【００６５】
このメディアドライブ部２では、光学ヘッド６３、磁気ヘッド６２による記録再生ヘッド系、スピンドルモータ６８によるディスク回転駆動系のほかに、記録処理系、再生処理系、サーボ系等が設けられる。
【００６６】
なお、光磁気ディスク２１の詳細は後述するが、この記録再生装置１には、現行のＭＤ仕様のディスク、次世代ＭＤ１の仕様のディスク、および次世代ＭＤ２の仕様のディスクが装着される可能性がある。これらは、ディスクによって線速度が異なっているが、スピンドルモータ６８は、これら線速度の異なる複数種類のディスクに対応する回転速度で回転させることが可能である。ターンテーブルに装填された光磁気ディスク２１は、現行のＭＤ仕様のディスクの線速度と、次世代ＭＤ１の仕様のディスクの線速度と、次世代ＭＤ２の仕様のディスクの線速度とに対応して回転される。
【００６７】
光学ヘッド６３の光磁気ディスク２１に対するレーザ照射によりその反射光として検出された情報（フォトディテクタによりレーザ反射光を検出して得られる光電流）は、ＲＦアンプ６５に供給される。
【００６８】
ＲＦアンプ６５では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報等を抽出する。ＲＦアンプ６５は、抽出した情報を、CPU４１、DRAM４８、またはサーボ回路６６に適宜供給する。
【００６９】
なお、実際には、ＲＦアンプ６５から抽出された情報に対して、復調処理、誤り訂正処理、デインターリーブ処理が行なわれるが、本発明とは直接関係がないため、その説明は省略する。
【００７０】
ＲＦアンプ６５から出力されるトラッキングエラー信号ＴＥ、フォーカスエラー信号ＦＥはサーボ回路６６に供給される。また、グルーブ情報はスピンドルサーボ制御のためにサーボ回路６６に供給される。
【００７１】
サーボ回路６６は、例えばグルーブ情報に対して再生クロック（デコード時のＰＬＬ系クロック）との位相誤差を積分して得られる誤差信号に基づき、ＣＬＶまたはＣＡＶサーボ制御のためのスピンドルエラー信号を生成する。
【００７２】
また、サーボ回路６６は、スピンドルエラー信号や、ＲＦアンプ６５から供給されたトラッキングエラー信号、フォーカスエラー信号等に基づいて各種サーボ制御信号（トラッキング制御信号、フォーカス制御信号等）を生成し、モータドライバ６７に対して出力する。
【００７３】
モータドライバ６７では、サーボ回路６６から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ６８を駆動するスピンドルモータ駆動信号となる。このようなサーボドライブ信号により、光磁気ディスク２１に対するフォーカス制御、トラッキング制御、およびスピンドルモータ６８に対するＣＬＶまたはＣＡＶ制御が行われることになる。
【００７４】
図３は、図１の記録再生装置１の機能的構成例を示すブロック図である。なお、図中、図１と対応する部分については同一の符号を付してあり、その説明は、繰り返しになるので省略する。
【００７５】
図３の記録再生装置１には、主制御部７１、音声処理部７２、音声データ出力部７３、音声データ入力部７４、画像処理部７５、表示部７６、および記録再生制御部７７の他、操作入力部１４と光磁気ディスク２１がさらに設けられている。
【００７６】
主制御部７１は、操作入力部１４に入力された操作に対応する制御信号に基づいて、音声処理部７２と画像処理部７５を制御する。主制御部７１は、例えば、図１のCPU４１が所定の処理を実行することで実現される。音声処理部７２は、主制御部７１からの制御信号（指令）に基づいて、各種の音声処理を実行する。音声処理部７２は、例えば、図１の音声データ処理部４４とCPU４１所定の処理を実行することで実現される。音声データ出力部７３は、音声処理部７２により処理された音声データを出力する。音声データ出力部７３は、例えば、図１のＤ／Ａ変換処理部４５、スピーカ４６所定の処理を実行することで実現される。音声データ入力部７４は、音声データの入力を受け付け、音声処理部７２に供給する。音声データ入力部７４は、例えば、図１の音声信号入力部４２とＡ／Ｄ変換処理部４３所定の処理を実行することで実現される。このように、図３の主制御部７１、音声処理部７２、音声データ出力部７３、および音声データ入力部７４は、図１の音声処理ブロック１１の機能的構成例を示す。
【００７７】
画像処理部７５は、主制御部７１からの制御信号（指令）に基づいて、各種の画像処理を実行する。画像処理部７５には、画像処理制御部８１、画像データ取得部８２、テーブル記憶部８３、フォルダ生成部８４、Exifファイル生成部８５、サムネイルファイル生成処理部８６、FAT情報処理部８７、対応サムネイルファイル特定部８８、サムネイル画像有効判定部８９、および表示制御部９０が設けられており、画像処理部７５の内部ではそれぞれデータの授受が可能である。
【００７８】
画像処理制御部８１は、画像処理部７５の内部の各部を制御する。画像データ取得部８２は、画像データを取得する。例えば、画像データ取得部８２は、CCD５３から入力されてきた画像データ、光磁気ディスク２１から読み出されたExifファイル、または、Exifファイル生成部８５により生成されたExifファイルを取得する。画像データ取得部８２は、例えば、図１のCPU５１、画像データ処理部５６、およびDRAM５４が所定の処理を実行することで実現される。テーブル記憶部８３は、Exifファイルと、サムネイルファイルを対応付けるテーブル（後述する図１３のテーブル）を記憶している。テーブル記憶部８３は、例えば、図１のDRAM５４に対応する。フォルダ生成部８４は、画像処理制御部８１からの制御に基づいて、Exifファイルやサムネイルファイルを格納するためのフォルダを生成する。フォルダ生成部８４は、例えば、図１のCPU５１または画像データ処理部５６が所定の処理を実行することで実現される。Exifファイル生成部８５は、画像データに基づいて、Exifファイルを生成する。Exifファイル生成部８５は、例えば、図１の画像データ処理部５６が所定の処理を実行することで実現される。サムネイルファイル生成処理部８６は、サムネイルファイルに関する処理を実行する。例えば、サムネイルファイル生成処理部８６は、Exifファイルに基づいて、サムネイルファイルを生成したり、更新したりする。このExifファイル生成処理部８６により生成されるExifファイルの形式については、図４と図５を参照して後述する。サムネイルファイル生成処理部８６は、例えば、図１の画像データ処理部５６が所定の処理を実行することで実現される。
【００７９】
FAT情報処理部８７は、どのファイルが光磁気ディスク２１のどの位置に保存されているかを示す情報である管理情報（光磁気ディスク２１のFAT領域に記録される情報）に関する処理を実行する。すなわち、FAT情報処理部８７は、記録するファイルの光磁気ディスク２１上の記録位置を管理するFAT情報を、生成したり、更新する。FAT情報処理部８７は、例えば、図１のCPU４１が所定の処理を実行することで実現される。ここで、FAT情報とは、ファイルを構成するクラスタのディスク上の物理的な配置を管理する情報である。なお、実際のFATファイルシステムでは、FAT情報の他に、ディレクトリエントリとによって、ファイル名と、そのファイル名に対応するファイルを構成するデータの光磁気ディスク２１上の配置情報が管理されるが、ここでは、FAT情報により、要求されたファイルを読み出すことができるものとする。
【００８０】
対応サムネイルファイル特定部８８は、Exifファイルに対応するサムネイルファイルを特定する処理や、サムネイルファイルに対応するExifファイルを特定する処理を実行する。例えば、対応サムネイルファイル特定部８８は、テーブル記憶部８３に記憶されたテーブルに基づいて、Exifファイルに対応するサムネイルファイルを特定する。対応サムネイルファイル特定部８８は、例えば、図１のCPU５１や画像データ処理部５６が所定の処理を実行することで実現される。サムネイル画像有効判定部８９は、サムネイル画像データが、そのExifファイルに対して有効であるか否かを判定する。例えば、サムネイル画像有効判定部８９は、サムネイルファイルとFAT情報に基づいて、サムネイルファイルに含まれるサムネイル画像が、そのExifファイルに対して有効であるか否かを判定する。サムネイル画像有効判定部８９は、例えば、図３のCPU４１またはCPU５１が所定の処理を実行することで実現される。表示制御部９０は、表示部７６に画像を表示させるよう制御する。表示制御部９０は、例えば、図１のLCDコントローラ５７に対応する。表示部７６は、表示制御部９０からの制御に基づいて画像を表示する。表示部７６は、例えば、図１のLCD５８に対応する。
【００８１】
記録再生制御部７７は、光磁気ディスク２１にデータを記録したり、光磁気ディスク２１に記録されているデータを再生するよう制御する。記録再生制御部７７には、記録制御部７９と再生制御部８０が設けられている。記録制御部７９は、光磁気ディスク２１にデータを記録するよう制御する。再生制御部８０は、光磁気ディスク２１からデータを再生するよう制御する。記録再生制御部７７（記録再生制御部７７の各部）は、例えば、図１のメディアドライブ部１３が所定の処理を実行することで実現される。
【００８２】
次に、図３のExifファイル生成部８５が生成するExifファイルの形式について、図４と図５を参照して説明する。
【００８３】
図４は、１つの画像ファイル（Exifファイル）の全体の構造を示している。この画像ファイルには、先頭を示すマーク（SOI）と末尾を示すマーク（EOI）との間の末尾側に、圧縮された画像データが設けられているとともに、この画像ファイルの先頭側のヘッダ部分には、任意の情報が設けられている。以下においては、この画像データを、主画像データと称する。
【００８４】
図５は、画像ファイルのヘッダ部分に設けられる情報の１つである、APP1の構造を示している。同図に示されるように、APP1の情報の先頭には、APP1のマーカが設けられ、続いてAPP1のデータ長、およびExifの識別子が設けられている。さらに、Exifの具体的なデータ（Exif IFD）が設けられているとともに、APP1の末尾には、上述の画像信号を縮小した、いわゆるサムネイルデータ（thumbnail Date）が設けられている。本実施の形態では、このサムネイルデータを、以下においては、サムネイル画像データと称する。このように、画像ファイル（Exifファイル）のヘッダ部分に設けられる情報の１つである、APP１の情報には、サムネイルデータ（サムネイル画像データ）が含まれている。すなわち、Exifファイルには、サムネイル画像データが含まれる。このように、Exifファイルには、主画像データ、サムネイル画像データが含まれる。
【００８５】
次に、図１の記録再生装置１に装着される光磁気ディスク２１の構成例について説明する。
【００８６】
光磁気ディスク２１において、フォームファクタのような、ディスクの物理的属性は、いわゆるＭＤシステムによって使用されるディスクと実質的に同じである。しなしながら、光磁気ディスク２１上に記録されたデータと、そのデータがどのようにディスク上に配置されているかについては、従来のＭＤと異なる。
【００８７】
より具体的には、記録再生装置１装置は、オーディオデータやビデオデータなどのコンテンツデータを記録再生するために、ファイル管理システムとしてFATシステムを使用している。
【００８８】
なお、ここで、「FAT」または「FATシステム」という用語は、種々のＰＣ（パーソナルコンピュータ）ベースのファイルシステムを示すために総称的に用いられ、ＤＯＳ(Disk Operating System)で用いられる特定のFATベースのファイルシステム、Ｗｉｎｄｏｗｓ（登録商標）９５/９８で使用されるＶFAT(Virtual FAT)、Ｗｉｎｄｏｗｓ（登録商標）９８/ＭＥ/２０００で用いられるFAT３２、およびＮＴＦＳ(NT File System（New Technology File System とも呼ばれる）)のいずれかを示すことを意図したものではない。ＮＴＦＳは、Ｗｉｎｄｏｗｓ（登録商標）ＮＴオペレーティングシステム、または（オプションにより）Ｗｉｎｄｏｗｓ（登録商標）２０００で使用されるファイルシステムであり、ディスクに対する読み出しや書き込みの際に、ファイルの記録および取り出しを行なう。
【００８９】
記録再生のフォーマットとしては、現行のＭＤシステムで用いられているディスクと全く同様のディスク(すなわち、物理媒体)を用いるようにした次世代ＭＤ１の仕様と、現行のＭＤシステムで用いられているディスクとフォームファクタおよび外形は同様ではあるが、磁気超解像度（ＭＳＲ）技術を使うことにより、線記録方向の記録密度を上げて、記録容量をより増大した次世代ＭＤ２の仕様とがあるものとされる。
【００９０】
現行のＭＤシステムでは、カートリッジに収納された直径６４ｍｍの光磁気ディスクが記録媒体として用いられている。この光磁気ディスクの厚みは１．２ｍｍであり、その中央に１１ｍｍの径のセンターホールが設けられている。カートリッジの形状は、長さ６８ｍｍ、幅７２ｍｍ、厚さ５ｍｍである。
【００９１】
次世代ＭＤ１と次世代ＭＤ２の仕様においても、ディスクの形状やカートリッジの形状は、現行のＭＤシステムと全て同じである。リードイン領域の開始位置についても、次世代ＭＤ１と次世代ＭＤ２の仕様のディスクは２９ｍｍであり、現行のＭＤシステムで使用されているディスクと同様である。
【００９２】
トラックピッチについては、次世代ＭＤ２では、例えば、１．２μｍから１．３μｍ（例えば１．２５μｍ）とされている。これに対して、現行のＭＤシステムのディスクを流用する次世代ＭＤ１では、トラックピッチは１．６μｍとされている。ビット長は、次世代ＭＤ１が０．４４μｍ／ビットとされ、次世代ＭＤ２が０．１６μｍ／ビットとされる。冗長度は、次世代ＭＤ１および次世代ＭＤ２ともに、２０．５０％である。
【００９３】
次世代ＭＤ２の仕様のディスクでは、磁気超解像技術を使うことにより、線密度方向の記録容量を向上するようにしている。磁気超解像技術は、所定の温度になると、切断層が磁気的にニュートラルな状態になり、再生層に転写されていた磁壁が移動することで、微少なマークがビームスポットの中で大きく見えるようになることを利用したものである。
【００９４】
すなわち、次世代ＭＤ２の仕様のディスクでは、透明基板上に、少なくとも情報を記録する記録層となる磁性層、切断層、および情報再生用の磁性層が積層される。切断層は、交換結合力調整用層となる。すなわち、所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００９５】
また、次世代ＭＤ２の仕様のディスクでは、デトラックマージン、ランドからのクロストーク、ウォブル信号のクロストーク、および、フォーカスの漏れを改善するために、グルーブを現行のＭＤディスクより深くし、グルーブの傾斜を鋭くしている。具体的には、次世代ＭＤ２の仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
【００９６】
また、光学的な仕様については、次世代ＭＤ１の仕様では、レーザ波長λが７８０ｎｍとされ、光学ヘッドの対物レンズの開口率ＮＡが０．４５とされている。次世代ＭＤ２の仕様も同様に、レーザ波長λが７８０ｎｍとされ、光学ヘッドの開口率ＮＡが０．４５とされている。
【００９７】
記録方式としては、次世代ＭＤ１の仕様も次世代ＭＤ２の仕様も、グルーブ記録方式が採用されている。つまり、グルーブ（ディスクの盤面上の溝）をトラックとして記録再生に用いるようにしている。
【００９８】
エラー訂正符号化方式としては、現行のＭＤシステムでは、ＡＣＩＲＣ(Advanced Cross Interleave Reed-Solomon Code) による畳み込み符号が用いられていたが、次世代ＭＤ１および次世代ＭＤ２の仕様では、ＲＳ−ＬＤＣ（Reed Solomon−Long Distance Code）とＢＩＳ（Burst Indicator Subcode）とを組み合わせたブロック完結型の符号が用いられている。ブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行なうことができる。
【００９９】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Address in Pregroove）と呼ばれている。現行のＭＤシステムと、次世代ＭＤ１および次世代ＭＤ２の仕様では、線密度が異なるとともに、現行のＭＤシステムでは、エラー訂正符号として、ＡＣＩＲＣと呼ばれる畳み込み符号が用いられているのに対して、次世代ＭＤ１および次世代ＭＤ２の仕様では、ＬＤＣとＢＩＳとを組み合わせたブロック完結型の符号が用いられているため、冗長度が異なり、ＡＤＩＰとデータとの相対的な位置関係が変わっている。そこで、現行のＭＤシステムと同じ物理構造のディスクを流用する次世代ＭＤ１の仕様では、ＡＤＩＰ信号の扱いを、現行のＭＤシステムの場合とは異なるようにしている。また、次世代ＭＤ２の仕様では、次世代ＭＤ２の仕様により合致するように、ＡＤＩＰ信号の仕様に変更を加えている。
【０１００】
変調方式については、現行のＭＤシステムでは、ＥＦＭ(8 to 14 Modulation)が用いられているのに対して、次世代ＭＤ１および次世代ＭＤ２の仕様では、ＲＬＬ（１，７）ＰＰ（ＲＬＬ;Run Length Limited ,ＰＰ;Parity Preserve/Prohibit rmtr(repeated minimum transition runlength)）（以下、１−７ｐｐ変調と称する）が採用されている。また、データの検出方式は、次世代ＭＤ１ではパーシャルレスポンスＰＲ（１，２，１）ＭＬを用い、次世代ＭＤ２ではパーシャルレスポンスＰＲ（１，−１）ＭＬを用いたビタビ復号方式とされている。
【０１０１】
また、ディスク駆動方式はＣＬＶ（Constant Linear Verocity）またはＺＣＡＶ（Zone Constant Angular Verocity）であり、その標準線速度は、次世代ＭＤ１の仕様では、２．４ｍ／秒とされ、次世代ＭＤ２の仕様では、１．９８ｍ／秒とされる。なお、現行のＭＤシステムの仕様では、６０分ディスクで１．２ｍ／秒、７４分ディスクで１．４ｍ／秒とされている。
【０１０２】
現行のＭＤシステムで用いられるディスクをそのまま流用する次世代ＭＤ１の仕様では、ディスク１枚当たりのデータ総記録容量は約３００Ｍバイト（８０分ディスクを用いた場合）になる。このことは、変調方式がＥＦＭから１−７ｐｐ変調とされることで、ウィンドウマージンが０．５から０．６６６となり、この点で、１．３３倍の高密度化が実現できるためである。また、エラー訂正方式として、ＡＣＩＲＣ方式からＢＩＳとＬＤＣを組み合わせたものとしたことで、データ効率が上がり、この点で、１．４８倍の高密度化が実現できるためである。その結果、総合的には、現行のＭＤシステムと全く同様のディスクを使って、現行のＭＤシステムに比べて、約２倍のデータ容量が実現される。
【０１０３】
磁気超解像度を利用した次世代ＭＤ２の仕様のディスクでは、さらに線密度方向の高密度化が図られ、データ総記録容量は、約１Ｇバイトになる。
【０１０４】
データレートは、標準線速度にて、次世代ＭＤ１では４．４Ｍビット／秒であり、次世代ＭＤ２では、９．８Ｍビット／秒である。
【０１０５】
このように、現行のＭＤシステムに対して、エラー訂正方式や変調方式を改善することにより、データの記録容量の増大を図るとともに、データの信頼性を高めるようにしている。
【０１０６】
図６は、次世代ＭＤ１のディスクの構成例を示す図である。次世代ＭＤ１のディスクは、現行のＭＤシステムのディスクをそのまま流用したものである。すなわち、ディスクは、透明のポリカーボネート基板上に、誘電体膜と、磁性膜と、誘電体膜と、反射膜とを積層して構成される。さらに、その上に、保護膜が積層される。
【０１０７】
次世代ＭＤ１のディスクでは、図６に示されるように、ディスクの内周（ディスクのレコーダブル領域の最も内側の周（「最も内側」は、ディスクの中心から放射状に延びる方向において最も内側を示す）のリードイン領域に、Ｐ−ＴＯＣ（プリマスタードＴＯＣ（Table Of Contents））領域が設けられている。ここは、物理的な構造としては、プリマスタード領域となる。すなわち、エンボスピットにより、コントロール情報等が、例えば、Ｐ−ＴＯＣ情報として記録されている。
【０１０８】
Ｐ−ＴＯＣ領域が設けられるリードイン領域の外周（ディスクの中心から放射状に延びる方向において外側の周）は、レコーダブル領域（光磁気記録が可能な領域）とされ、記録トラックの案内溝としてグルーブが形成された記録再生可能領域となっている。このレコーダブル領域の内周には、Ｕ−ＴＯＣ（ユーザＴＯＣ）が設けられる。
【０１０９】
Ｕ−ＴＯＣは、現行のＭＤシステムでディスクの管理情報を記録するために用いられているＵ−ＴＯＣと同様の構成のものである。このＵ−ＴＯＣは、現行のＭＤシステムにおいて、トラック（オーディオトラックやビデオデータトラック）の順番、記録、消去などに応じて書き換えられる管理情報であり、各トラック（トラックを構成するパーツ）について、開始位置、終了位置や、モードを管理するものである。
【０１１０】
Ｕ−ＴＯＣの外周には、アラートトラックが設けられる。このトラックには、ディスクが現行のＭＤシステムにロードされた場合に、ＭＤプレーヤによって起動（出力）される警告音が記録される。この警告音は、そのディスクが次世代ＭＤ１方式で使用され、現行のシステムでは再生できないことを示すものである。レコーダブル領域の残りの部分（詳細は、図７に示されている）は、リードアウト領域まで、放射状に延びる方向に広がっている。
【０１１１】
図７は、図６に示す次世代ＭＤ１の仕様のディスクのレコーダブル領域の構成を示すものである。図７に示すように、レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。ＥＦＭ変調でデータが変調されて記録される領域の外周に、次世代ＭＤ１方式の１−７ｐｐ変調でデータが変調されて記録される領域が設けられる。ＥＦＭでデータが変調されて記録される領域と、１−７ｐｐ変調でデータが変調されて記録される領域との間は所定の距離の間だけ離間されており、「ガードバンド」が設けられている。このようなガードバンドが設けられるため、現行のＭＤプレーヤに次世代ＭＤ１の仕様のディスクが装着されて、不具合が発生されることが防止される。
【０１１２】
１−７ｐｐ変調でデータが変調されて記録される領域の先頭（内周側）には、ＤＤＴ（Disc Description Table）領域と、リザーブトラックが設けられる。ＤＤＴ領域には、物理的に欠陥のある領域に対する交替処理をするために設けられる。ＤＤＴ領域には、さらに、ディスク毎に固有の識別コードが記録される。以下、このディスク毎に固有の識別コードをＵＩＤ（ユニークＩＤ）と称する。次世代ＭＤ１の場合、ＵＩＤは、例えば所定に発生された乱数に基づき生成され、例えばディスクの初期化の際に記録される（詳細は後述する）。ＵＩＤを用いることで、ディスクの記録内容に対するセキュリティ管理を行なうことができる。リザーブトラックは、コンテンツの保護を図るための情報が格納される。
【０１１３】
さらに、１−７ｐｐ変調でデータが変調されて記録される領域には、FAT（File Allocation Table）領域が設けられる。FAT領域は、FATシステムでデータを管理するための領域である。FATシステムは、汎用のパーソナルコンピュータで使用されているFATシステムに準拠したデータ管理を行なうものである。FATシステムは、ルートにあるファイルやディレクトリのエントリポイントを示すディレクトリと、FATクラスタの連結情報が記述されたFATテーブルとを用いて、FATチェーンによりファイル管理を行なうものである。なお、FATの用語は、前述したように、ＰＣオペレーティングシステムで利用される、様々な異なるファイル管理方法を示すように総括的に用いられている。
【０１１４】
次世代ＭＤ１の仕様のディスクにおいては、Ｕ−ＴＯＣ領域には、アラートトラックの開始位置の情報と、１−７ｐｐ変調でデータが変調されて記録される領域の開始位置の情報が記録される。
【０１１５】
現行のＭＤシステムのプレーヤに、次世代ＭＤ１のディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。アラートトラックには、このディスクが次世代ＭＤ１方式で使用され、現行のＭＤシステムのプレーヤでは再生できないことを示す警告音が記録されている。この警告音から、このディスクが現行のＭＤシステムのプレーヤでは使用できないことが知らされる。
【０１１６】
次世代ＭＤ１に準拠したプレーヤに、次世代ＭＤ１のディスクが装着されると、Ｕ−ＴＯＣ領域が読み取られ、Ｕ−ＴＯＣの情報から、１−７ｐｐ変調でデータが記録された領域の開始位置が分かり、ＤＤＴ、リザーブトラック、FAT領域が読み取られる。１−７ｐｐ変調のデータの領域では、Ｕ−ＴＯＣを使わずに、FATシステムを使ってデータの管理が行われる。
【０１１７】
図８は、次世代ＭＤ２のディスクを示すものである。ディスクは、透明のポリカーボネート基板上に、誘電体膜と、磁性膜と、誘電体膜と、反射膜とを積層して構成される。さらに、その上に、保護膜が積層される。
【０１１８】
次世代ＭＤ２のディスクでは、図８Ａに示すように、ディスクの内周（ディスクの中心から放射状に延びる方向において内側の周）のリードイン領域には、ＡＤＩＰ信号により、コントロール情報が記録されている。次世代ＭＤ２のディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調で、データが変調されて記録される。
【０１１９】
次世代ＭＤ２の仕様のディスクでは、図８Ｂに示すように、磁性膜として、情報を記録する記録層となる磁性層１０１と、切断層１０２と、情報再生用の磁性層１０３とが積層されたものが用いられる。切断層１０２は、交換結合力調整用層となる。所定の温度になると、切断層１０２が磁気的にニュートラルな状態になり、記録層１０１に転写されていた磁壁が再生用の磁性層１０３に転写される。これにより、記録層１０１では微少なマークが再生用の磁性層１０３のビームスポットの中に拡大されて見えるようになる。
【０１２０】
図示はしないが、次世代ＭＤ２の使用のディスクでは、記録可能領域の内周側の、コンシューマ向けの記録再生装置で再生可能であるが記録不可であるような領域に、上述したＵＩＤが予め記録される。次世代ＭＤ２のディスクの場合、ＵＩＤは、例えばＤＶＤ(Digital Versatile Disc)で用いられているＢＣＡ(Burst Cutting Area)の技術と同様の技術により、ディスクの製造時に予め記録される。ディスクの製造時にＵＩＤが生成され記録されるため、ＵＩＤの管理が可能となり、上述の次世代ＭＤ１による、ディスクの初期化時などに乱数に基づきＵＩＤを生成する場合に比べ、セキュリティを向上できる。
【０１２１】
なお、繁雑さを避けるために、次世代ＭＤ２においてＵＩＤが予め記録されるこの領域を、以降、ＢＣＡと呼ぶことにする。
【０１２２】
次世代ＭＤ１であるか次世代ＭＤ２であるかは、例えば、リードインの情報から判断できる。すなわち、リードインにエンボスピットによるＰ−ＴＯＣが検出されれば、現行のＭＤまたは次世代ＭＤ１のディスクであると判断できる。リードインにＡＤＩＰ信号によるコントロール情報が検出され、エンボスピットによるＰ−ＴＯＣが検出されなければ、次世代ＭＤ２であると判断できる。上述したＢＣＡにＵＩＤが記録されているか否かで判断することも可能である。なお、次世代ＭＤ１と次世代ＭＤ２との判別は、このような方法に限定されるものではない。オントラックのときとオフトラックのときとのトラッキングエラー信号の位相から判別することも可能である。勿論、ディスク識別用の検出孔等を設けるようにしても良い。
【０１２３】
図９は、次世代ＭＤ２の仕様のディスクのレコーダブル領域の構成を示すものである。図９に示すように、レコーダブル領域では全て１−７ｐｐ変調でデータが変調されて記録され、１−７ｐｐ変調でデータが変調されて記録される領域の先頭（内周側）には、ＤＤＴ領域と、リザーブトラックが設けられる。ＤＤＴ領域は、物理的に欠陥のある領域に対する交替領域を管理するための交替領域管理データを記録するために設けられる。
【０１２４】
具体的には、ＤＤＴ領域は、物理的に欠陥のある上記領域に替わるレコーダブル領域を含む置き換え領域を管理する管理テーブルを記録する。この管理テーブルは、欠陥があると判定された論理クラスタを記録し、その欠陥のある論理クラスタに替わるものとして割り当てられた置き換え領域内の論理クラスタ（１つまたは複数）も記録する。さらに、ＤＤＴ領域には、上述したＵＩＤが記録される。リザーブトラックは、コンテンツの保護を図るための情報が格納される。
【０１２５】
さらに、１−７ｐｐ変調でデータが変調されて記録される領域には、FAT領域が設けられる。FAT領域は、FATシステムでデータを管理するための領域である。FATシステムは、汎用のパーソナルコンピュータで使用されているFATシステムに準拠したデータ管理を行なうものである。
【０１２６】
次世代ＭＤ２のディスクにおいては、Ｕ−ＴＯＣ領域は設けられていない。次世代ＭＤ２に準拠したプレーヤに、次世代ＭＤ２のディスクが装着されると、所定の位置にあるＤＤＴ、リザーブトラック、FAT領域が読み取られ、FATシステムを使ってデータの管理が行われる。
【０１２７】
次世代ＭＤ１および次世代ＭＤ２のディスクでは、時間のかかる初期化作業は不要とされる。すなわち、次世代ＭＤ１および次世代ＭＤ２の仕様のディスクでは、ＤＤＴやリザーブトラック、FATテーブル等の最低限のテーブルの作成以外に、初期化作業は不要で、未使用のディスクからレコーダブル領域の記録再生を直接行なうことが可能である。
【０１２８】
なお、次世代ＭＤ２のディスクは、上述のように、ディスクの製造時にＵＩＤが生成され記録されるため、より強力にセキュリティ管理を行なうことが可能である一方、現行のＭＤシステムで用いられるディスクに比べて膜の積層数が多く、より高価である。そこで、ディスクの記録可能領域およびリードイン、リードアウト領域は、次世代ＭＤ１と共通とし、ＵＩＤのみ、ＤＶＤと同様のＢＣＡを用いて次世代ＭＤ２と同様にしてディスクの製造時に記録するようにしたディスクシステム（次世代ＭＤ１．５と称する）が提案されている。
【０１２９】
なお、以下では、次世代ＭＤ１．５に関して、特に必要となる場合を除き、説明を省略する。すなわち、次世代ＭＤ１．５は、ＵＩＤに関しては次世代ＭＤ２に準じ、オーディオデータの記録再生などに関しては次世代ＭＤ１に準ずるものとする。
【０１３０】
ＵＩＤについて、より詳細に説明する。上述したように、次世代ＭＤ２のディスクにおいて、ＵＩＤは、ＤＶＤで用いられているＢＣＡと称される技術と同様の技術により、ディスクの製造時に予め記録される。図１０は、このＵＩＤの一例のフォーマットを概略的に示す。ＵＩＤの全体をＵＩＤレコードブロックと称する。
【０１３１】
ＵＩＤブロックにおいて、先頭から２バイト分がＵＩＤコードのフィールドとされる。ＵＩＤコードは、２バイトすなわち１６ビットのうち上位４ビットがディスク判別用とされる。例えば、この４ビットが〔００００〕で当該ディスクが次世代ＭＤ２のディスクであることが示され、〔０００１〕で当該ディスクが次世代ＭＤ１．５のディスクであることが示される。ＵＩＤコードの上位４ビットの他の値は、例えば将来の拡張のために予約される。ＵＩＤコードの下位１２ビットは、アプリケーションＩＤとされ、４０９６種類のサービスに対応することができる。
【０１３２】
ＵＩＤコードの次に１バイトのバージョンナンバのフィールドが配され、その次に、１バイトでデータ長のフィールドが配される。このデータ長により、データ長の次に配されるＵＩＤレコードデータのフィールドのデータ長が示される。ＵＩＤレコードデータのフィールドは、ＵＩＤ全体のデータ長が１８８バイトを超えない範囲で、４ｍ（ｍ＝０、１、２、・・・）バイト分、配される。ＵＩＤレコードデータのフィールドに、所定の方法で生成したユニークなＩＤを格納することができ、これにより、ディスク個体が識別可能とされる。
【０１３３】
なお、次世代ＭＤ１のディスクでは、このＵＩＤレコードデータのフィールドに、乱数に基づき生成されたＩＤが記録される。
【０１３４】
ＵＩＤレコードブロックは、最大１８８バイトまでのデータ長で、複数個、作ることができる。
【０１３５】
次に、図１１と図１２のフローチャートを参照して、図３の記録再生装置１における撮影処理を説明する。なお、この処理は、ユーザが操作入力部１４に対して、撮影を指令する操作を入力したとき開始される。また、この処理は、図３の記録再生装置１に光磁気ディスク２１が装着されている状態で開始される。
【０１３６】
ステップＳ１１において、記録再生装置１のCCD５３は、被写体を撮像する。具体的には、ユーザからの撮影の指令が操作入力部１４に入力されると、操作入力部１４は、入力された指令に対応する制御信号を、主制御部７１に供給する。主制御部７１は、ユーザにより指令されたものが撮影であるので、画像処理部７５に対して撮影を指令する。これに対して、画像処理部７５は、CCD５３に被写体の撮像を指令する。CCD５３は、この指令に基づいて所定のタイミング（例えば、画像処理部７５から制御信号が供給されたタイミング）においてレンズ５２（図１）を通過して入射する光学像を、画素毎に光電変換により電圧値からなる電気信号に変換して蓄え、これを画像信号として画像処理部７５の画像データ取得部８２に供給する。画像データ取得部８２は、CCD５３から供給された画像信号に対して各種の処理を施すことで、画像データを得る。なお、ユーザは、操作入力部１４に対して、撮影の指令とともに、画像サイズや生成されるファイルを格納する場所（フォルダ）を指定することができる。
【０１３７】
ステップＳ１２において、画像処理部７５の画像処理制御部８１は、撮影が光磁気ディスク２１にとって１枚目の撮影であるか否かを判定する。例えば、画像処理制御部８１は、記録再生制御部７７の再生制御部８０に、光磁気ディスク２１に記録されているFAT情報（FAT領域に記録されている情報）を読み出させ、このFAT領域の情報に基づいて、１枚目の撮影であるか否かを判定する。最初に撮影画像（撮影された画像を、以下、撮影画像と称する）が光磁気ディスク２１に記録される場合、DCIMフォルダが生成される。そこで、画像処理制御部８１は、例えばFAT領域を参照して、DCIMフォルダがあるか否かを判定することで、１枚目の撮影であるか否かを判定する。
【０１３８】
ステップＳ１２において、１枚目の撮影であると判定された場合、ステップＳ１３において、フォルダ生成部８４は、DCIMフォルダを生成する。
【０１３９】
ステップＳ１２において、１枚目の撮影ではないと判定された場合、ステップＳ１３の処理はスキップされ、処理はステップＳ１４に進む。
【０１４０】
ステップＳ１２において１枚目の撮影ではないと判定された場合、またはステップＳ１３の処理の後、処理はステップＳ１４に進み、画像処理制御部８１は、撮影画像データに対応するファイルを格納するための専用フォルダを生成する必要があるか否かを判定する。専用フォルダは、DCIMフォルダの下（中）に作成される、撮影画像データに対応するファイルを格納するためのフォルダであり、各製造メーカによってその名称は異なる。例えば、専用フォルダの名称を「１００」、「１０１」、「１０２」、・・・、「９９９」とする製造メーカＡの場合、画像処理制御部８１は、これらのいずれかの名称のファイルが、光磁気ディスク２１のDCIMフォルダの下（中）に記録されているか否かを、FAT領域の情報に基づいて判定する。このステップＳ１４の処理がステップＳ１３の処理の後である場合、すなわち、１枚目の撮影であると判定された場合の処理である場合には、勿論専用フォルダもまだ生成されていないので、ステップＳ１４においては、専用フォルダを生成する必要があると判定される。また、例えば、他の製造メーカＢによって、撮影画像データを格納するためのフォルダとして、名称が「Ｂ１００」であるフォルダがDCIMフォルダの下に格納されていた場合においても、画像処理制御部８１は、専用フォルダを生成する必要があると判定する。
【０１４１】
ステップＳ１４において、専用フォルダを生成する必要があると判定された場合、ステップＳ１５において、フォルダ生成部８４は、専用フォルダを生成する。例えば、フォルダ生成部８４は、「１００」という名称の専用フォルダを生成する。
【０１４２】
ステップＳ１４において、専用フォルダを生成する必要がないと判定された場合、ステップＳ１５の処理はスキップされ、処理はステップＳ１６に進む。
【０１４３】
ステップＳ１４において専用フォルダを生成する必要がないと判定された場合、またはステップＳ１５の処理の後、ステップＳ１６において、Exifファイル生成部８５は、画像処理制御部８１からの制御に基づいて、撮影画像データをJPEG（Joint Photographic Expert Group）圧縮処理し、Exifファイルを生成する。具体的には、Exifファイル生成部８５は、画像処理制御部８１からの制御に基づいて、ステップＳ１１の処理で撮像され、画像データ取得部８２に取得された撮像画像データを、JPEGの規格に基づいて圧縮し、各種の処理を実行することで、図４と図５を用いて上述した形式のExifファイルを生成する。ここで、図４の「画像データ」に記録されるデータ、すなわち、通常の画像のデータを、以下においては主画像データと称し、図４のAPP１に含まれるサムネイルデータを、以下においてはサムネイル画像データと称する。Exifファイル生成部８５は、生成したExifファイルに、例えば、「yyy0001.jpg」という名前を付け、これを、画像データ取得部８２に供給する。画像データ取得部８２は、Exifファイルを取得する。
【０１４４】
ステップＳ１７において、記録制御部７９は、画像データ取得部８２から供給されたExifファイル（Exifファイル生成部８５により生成されたExifファイル）を光磁気ディスク２１に記録させる。このとき、記録されるExifファイルの場所は、DCIMフォルダの中（下）であって、専用フォルダの中である。すなわち、ステップＳ１４の処理で専用フォルダが既に記録されていると判定された場合にはその専用フォルダの中にExifファイルが記録され、ステップＳ１４の処理で専用フォルダを生成する必要があると判定された場合には、ステップＳ１５の処理で生成された専用フォルダの中にExifファイルが記録される。例えば、光磁気ディスク２１の「root／DCIM／１００」の中に「yyy0001.jpg」が記録される。
【０１４５】
ステップＳ１８において、対応サムネイルファイル特定部８８は、画像処理制御部８１からの制御に基づいて、該当するサムネイルファイルがあるか否かを判定する。記録再生装置１では、図１３に示されるように、Exifファイルの名前に対応するサムネイルファイルの名前が定められ、テーブル記憶部８３に記憶されている。この図１３のテーブルは、例えば、撮影を行なうためのプログラムなどで規定され、あらかじめ記憶されている。
【０１４６】
図１３において、サムネイルファイルの名前が「0001.thm」である場合、「yyy0001.jpg」乃至「yyy0100.jpg」のExifファイルが対応している。また、サムネイルファイルの名前が「0101.thm」である場合、「yyy0101.jpg」乃至「yyy0200.jpg」のExifファイルが対応している。同様にして、サムネイルファイルの名前が「9901.thm」である場合、「yyy9901.jpg」乃至「yyy9999.jpg」のExifファイルが対応している。このように、１つのサムネイルファイルには、１００個のExifファイルのサムネイル画像データが対応している（サムネイルファイルの名称が「9901.jpg」を除く）。また、この例の場合、サムネイルファイルの名称のうち、拡張子を除く名称（ファイルベース名）と、１００個のExifファイルの先頭のファイルの名称の、拡張子を除く名称の一部（ファイルベース名）が同じである。このように、Exifファイルの先頭のファイルの名称の、拡張子を除く名称の一部をサムネイルファイル名の一部（または全て）と同一とすることで、例えば、ユーザがフォルダに格納されたサムネイルファイルを見た場合でも、容易に識別することができる。
【０１４７】
対応サムネイルファイル特定部８８は、ステップＳ１６の処理で生成されたExifファイルの名前に対応するサムネイルファイルが、光磁気ディスク２１に記録されているか否かを、FAT領域の情報とテーブル記憶部８３に記憶されているテーブルに基づいて判定する。具体的には、ステップＳ１６の処理でファイル名が「yyy0001.jpg」であるExifファイルが生成された場合、図１３の例では、サムネイルファイルの名前が「0001.thm」であるファイルが光磁気ディスク２１に記録されているか否かが判定される。なお、この処理が、ステップＳ１３の処理の後や、ステップＳ１５の処理の後に実行される処理である場合には、該当するサムネイルファイルは勿論記録されていないため、ステップＳ１８において該当するサムネイルファイルがないと判定される。
【０１４８】
ステップＳ１８において、該当するサムネイルファイルがないと判定された場合、ステップＳ１９に進み、サムネイルファイル生成処理部８６は、画像処理制御部８１からの制御に基づいて、サムネイルファイルを生成する。具体的には、サムネイルファイル生成処理部８６は、図１４に示されるような、１００個のサムネイルスロット（この例の場合１００個のスロット）を有するサムネイルファイルを生成する。図１４の例の場合、これらのサムネイルスロットは空き領域（例えば、全て０の値が格納されている領域）となっている。この例の場合、ステップＳ１６の処理で生成された名前が「yyy0001.jpg」であるExifファイルが生成されたので、図１３に基づいて、名前が「0001.thm」であるサムネイルファイル（図１４）が生成される。
【０１４９】
図１４は、サムネイルファイル「0001.thm」の構成例を示す図である。
【０１５０】
１つのサムネイルファイルには、１００個分のExifファイルに対応するサムネイル画像データを書き込むことができるように、１００個のサムネイルスロットを有する。本実施の形態においては、１つのExifファイルに対応するサムネイル画像データのための領域（１つのサムネイルスロットの領域）を８kbyteとし、１つのサムネイルファイルに１００個分のExifファイルに対応するサムネイル画像データの書き込みを可能とするので、１つのサムネイルファイルの領域としては、８００kbyteが確保される。
【０１５１】
サムネイルファイルは、それぞれExifファイルに対応するサムネイル画像データの領域として、８００個の領域に区分されている。すなわち、図１４の例の場合、１行目の領域は、「yyy0001.jpgサムネイルスロット」と称され、「yyy0001.jpg」のExifファイルに対応するサムネイル画像データのための８kbyteの空き領域である。換言すれば、「yyy0001.jpgサムネイルスロット」は、「yyy0001.jpg」のExifファイルに対応するサムネイル画像データの領域であることを示している。
【０１５２】
図１４の２行目以降も同様に、「yyy0002.jpgのサムネイルスロット」、「yyy0003.jpgのサムネイルスロット」、・・・、「yyy0100.jpgのサムネイルスロット」というように、領域が予約された空き領域（スロット）となっている。各サムネイルスロットの領域は８kbyteとされている。このように、サムネイルファイルを最初に生成する場合に、１００個分のサムネイル画像データが格納される領域を確保し、連続的にサムネイル画像データを記録させるように構成することで、サムネイルファイルの読み出しを迅速にさせることができる。
【０１５３】
図１２に戻って、ステップＳ１８において、該当するサムネイルファイルがあると判定された場合、または、ステップＳ１９の処理の後、処理はステップＳ２０に進み、サムネイルファイル生成処理部８６は、Exifファイルからサムネイル画像データを取得する。具体的には、サムネイルファイル生成処理部８６は、ステップＳ１６の処理で生成されたExifファイルに含まれるサムネイルデータ（図４のExifファイルのAPP１に含まれる、図５のサムネイルデータ）を取得する。例えば、サムネイルファイル生成処理部８６は、「yyy0001.jpg」のExifファイルからサムネイル画像データを取得する。
【０１５４】
ステップＳ２２において、サムネイルファイル生成処理部８６は、サムネイルファイルの対応するスロットに、取得したサムネイル画像（サムネイル画像データ）を登録する。例えば、「yyy0001.jpg」のExifファイルからサムネイル画像データを取得した場合、このExifファイルに対応するスロットである「yyy0001.jpgサムネイルスロット」に、サムネイル画像データを、「yyy0001.jpgのサムネイル画像データ」として登録する。これにより、図１５に示されるように、「yyy0001.jpgのサムネイル画像データ」が「yyy0001.jpgサムネイルスロット」に登録される。
【０１５５】
ステップＳ２２において、サムネイルファイル生成処理部８６は、ヘッダにサイズと日時を登録する。具体的には、サムネイルファイル生成処理部８６は、該当するサムネイル画像データ（例えば、「yyy0001.jpgのサムネイル画像データ」のヘッダとして、「yyy0001.jpg」のExifファイルのデータ容量と、Exifファイルの生成日時を登録する。このExifファイルのデータ容量は、上述した図５の０ｔｈ  IFDに書き込まれており、Exifファイルの生成日時は、上述した図５のExif IFDに書き込まれているので、サムネイルファイル生成処理部８６は、Exifファイルからこれらの情報を取得し、サムネイルファイルの該当する領域（ヘッダ）に登録する。
【０１５６】
これにより、図１５に示されるように、生成されたExifファイル「yyy0001.jpg」に対応するサムネイルファイル「0001.thm」が生成される。
【０１５７】
図１５において、「yyy0001.jpgのサムネイル画像データ」の領域（すなわち「yyy0001.jpgサムネイルスロット」の左側上部には、ヘッダとして「yyy0001.jpg」のExifファイルのデータ容量、生成日時が書き込まれている。図１５の例の場合、「yyy0001.jpg」のExifファイルのデータ容量が、１．５MB（メガバイト）であり、Exifファイルの生成日時が２００４／８／１０である。なお、実際には、日付だけでなく時刻も書き込まれるが、ここでは簡単のために日付だけとする。１番目の領域の「yyy0001.jpgのサムネイル画像データ」は、上述したステップＳ２０の処理により格納されたデータであり、ヘッダの「１．５MB（メガバイト）」」と、「２００４／８／１０」とは、上述したステップＳ２１の処理により格納されたデータである。
【０１５８】
このように、サムネイルスロットには、Exifファイルから取得したサムネイル画像データ、Exifファイルのデータ容量、およびExifファイルの記録日時が登録される。
【０１５９】
図１２に戻って、ステップＳ２３において、記録再生処理部７７の記録制御部７９は、画像処理制御部８１からの制御に基づいて、サムネイルファイルを光磁気ディスク２１に記録させる。このサムネイルファイルは、対応するExifファイルが記録されているフォルダと同じ場所、すなわちこの例の場合、「root／DCIM／１００」の中に格納される。また、このサムネイルファイルと同じ名前のサムネイルファイルが既に記録されている場合には、サムネイルファイルが上書き（更新）される。
【０１６０】
ここまでの処理により、図１６に示されるように、光磁気ディスク２１の「root／DCIM／１００」の中に「yyy0001.jpg」（Exifファイル）と、「0001.thm」（サムネイルファイル）が記録されたことになる。ここで、「yyy0001.jpg」のデータ容量は１．５MBであり、生成日時は２００４／８／１０である。すなわち、「yyy0001.jpg」のデータ容量と生成日時が、上述したサムネイルファイルの１番目のスロットに格納されている、「yyy0001.jpgのサムネイル画像データのヘッダ情報と一致している。また、「0001.thm」のデータ容量は０．８MBであり、生成日時（更新日時）は２００４／８／１０である。
【０１６１】
生成される全てのサムネイルファイルのサイズは、所定の同じサイズに設定される。ここで、設定されるサムネイルファイルのサイズは、光ディスク上の連続した領域に記録しやすいデータサイズ、すなわち、比較的小さいデータサイズとする。本実施の形態においては、サムネイルファイルのサイズを、０．８Mbyte（８００Kbyte）とし、光磁気ディスク２１上の連続した領域に記録しやすいサイズとする。
【０１６２】
なお、ここではサムネイルファイルのデータ容量を０．８MBとしたが、ポータブル機器などの低容量メモリでキャッシュ可能なデータ容量であれば（例えば、複数のExifファイルの総データ量よりは少ないデータ量であれば）、これに限定されない。
【０１６３】
図１２に戻って、ステップＳ２４において、FAT情報処理部８７は、ステップＳ１７の処理におけるExifファイルの記録と、ステップＳ２３の処理におけるサムネイルファイルの記録に対応してFAT領域を更新するために、光磁気ディスク２１のFAT領域にExifファイルとサムネイルファイルに関する情報を記録（更新）させるよう、記録再生処理部７７の記録制御部７９を制御する。これに対して記録制御部７９は、Exifファイルとサムネイルファイルに関する情報を、光磁気ディスク２１のFAT領域に記録（更新）する。具体的には、記録制御部７９は、FAT情報処理部８７からの制御に基づいて、光磁気ディスク２１のFAT領域に記録されている図１７に示されるテーブルに、「ファイルの名前」と、それに対応するファイル関連情報を登録する。ファイル関連情報としては、ファイルが記録されている場所、ファイルのデータ容量、およびファイルの生成日時である。なお、実際には、ディレクトリエントリとの関係を示す情報や、アドレス、その他の情報が登録されるが、本発明に直接的には関係ないので、省略する。
【０１６４】
図１７の例の場合、「yyy0001.jpg」のExifファイルの関連情報として、ファイルの格納場所が「／DCIM／１００」とされ、ファイルのデータ容量が「１．５MB」とされ、ファイルの生成日時が「２００４／８／１０」とされている。また、「0001.thm」のサムネイルファイルの関連情報として、ファイルの格納場所が「／DCIM／１００」（「root／」は、一致しているため、省略している）とされ、ファイルのデータ容量が「０．８MB」とされ、ファイルの生成日時が「２００４／８／１０」とされている。すなわち、図１７の例の場合、「yyy0001.jpg」のExifファイルの関連情報と、図１５のヘッダの情報が一致している。
【０１６５】
このように被写体の撮影が行なわれ、Exifファイルが生成されるとともにサムネイルファイルが生成（または更新）され、光磁気ディスク２１に記録される。
【０１６６】
図１２に戻って、ステップＳ２５において、画像処理部７５の画像処理制御部８１は、次の撮影が指令されたか（操作入力部１４に撮影を指令する操作が入力されたか）否かを判定し、次の撮影が指令されたと判定された場合、処理はステップＳ１１に戻り、それ以降の処理が繰り返される。
【０１６７】
２枚目以降の撮影処理について、具体的な例を簡単に説明する。ステップＳ１１において、撮像が行なわれる。ステップＳ１２において、（２枚目の撮影であるので）１枚目の撮影ではないと判定され、ステップＳ１４において、専用フォルダを生成する必要はないと判定される。このことは、１回目のステップＳ１３、ステップＳ１５の処理で、DCIMフォルダと専用フォルダ（ここではフォルダの名称が「１００」のフォルダ）が既に生成されているからである。ステップＳ１６において、Exifファイルが生成される。このとき、Exifファイルの名称は「yyy0002.jpg」とされる。ここでは、生成されるExifファイルの名称の数字が１ずつインクリメントされる。なお、勿論、重なることがないようにランダムな名称を付すようにしてもよい。ステップＳ１７において、「yyy0002.jpg」のExifファイルが、「root／DCIM／１００」に記録される。
【０１６８】
そして、図１３に示されるように「yyy0002.jpg」が該当するサムネイルファイルは「0001.thm」であるので、ステップＳ１８においては、該当するサムネイルファイルがあると判定される。そして、ステップＳ２０において、サムネイル画像データが取得される。この例の場合、「yyy0002.jpg」のExifファイルに含まれるサムネイルデータが、サムネイル画像データとして取得される。ステップＳ２１において、サムネイルファイルの対応するサムネイルスロット、すなわち、この例では、「0001.thm」のサムネイルファイルの「yyy0002.jpgサムネイルスロット」に、サムネイル画像データが登録される。ステップＳ２２において、「yyy0002.jpgサムネイル画像データ」が格納されている領域（サムネイルスロット）のヘッダに「yyy0002.jpg」のサイズと日時が登録され、ステップＳ２３において、サムネイルファイルが更新される。すなわち、２回目のステップＳ２３の処理では、既に同じ名前のサムネイルファイルが光磁気ディスク２１に記録されているので、サムネイルファイルの更新が行なわれる。そして、ステップＳ２４において、FAT領域に、「yyy0002.jpg」のExifファイルと「0001.thm」のサムネイルファイルに関する情報が記録（更新）される。
【０１６９】
ステップＳ２５において、次の撮影が指令されていないと判定された場合（例えば、撮影の終了が指令された場合、または、電源がオフされた場合）、処理は終了される。
【０１７０】
図１１と図１２の処理により、記録再生装置１は、撮影によりExifファイルを生成するとともに、Exifファイルに基づいて、サムネイルファイルを生成することができる。このサムネイルファイルには、１００個のサムネイルスロットが設けられ、各サムネイルスロットには、Exifファイルに対応するサムネイル画像データ、対応するExifファイルのデータ容量、および対応するExifファイルの生成日時が格納される。
【０１７１】
このように、Exifファイルを記録する場合、対応するサムネイルファイルが存在しないときには、サムネイルファイルを新規作成し、その後、Exifファイルから取得した（コピーした）サムネイル画像データを、サムネイルファイルのサムネイルスロットに格納し、Exifファイルを記録する場合、対応するサムネイルファイルが存在するときには、既存のサムネイルファイルにExifファイルから取得した（コピーした）サムネイル画像データを格納（または更新）するようにして、サムネイルファイルを生成、更新することができる。すなわち、複数のExifファイルのそれぞれに格納されているサムネイル画像データをまとめ、１つのサムネイルファイルを生成することができる。
【０１７２】
図１１と図１２の処理の繰り返しにより生成されたExifファイルとサムネイルファイルの例について、いくつか説明する。
【０１７３】
図１８は、rootフォルダの中に登録されているファイルやフォルダを説明する図であり、図１９は、図１８の状態においてFAT領域で管理される情報を説明する図であり、図２０は、図１８と図１９の状態におけるサムネイルファイルを説明する図である。
【０１７４】
図１８の例の場合、rootフォルダの中には、「ABC」と「DCIM」のフォルダが格納されている。また、「DCIM」フォルダには、さらに「１００」フォルダが格納されており、「１００」フォルダには、「yyy0001.jpg」、「yyy0002.jpg」、「yyy0003.jpg」、「yyy0004.jpg」、および「yyy0005.jpg」（Exifファイル）と、「0001.thm」（サムネイルファイル）とが記録されている。すなわち、図１１と図１２の処理の繰り返しにより、５つのExifファイルと、それに対応する１つのサムネイルファイルが生成される。ここで、「yyy0001.jpg」のデータ容量は１．５MBであり、生成日時は２００４／８／１０であり、yyy0002.jpg」のデータ容量は１．５MBであり、生成日時は２００４／８／１５であり、「yyy0003.jpg」のデータ容量は１．５MBであり、生成日時は２００４／８／１６であり、「yyy0004.jpg」のデータ容量は１．５MBであり、生成日時は２００４／８／１７であり、「yyy0005.jpg」のデータ容量は１．５MBであり、生成日時は２００４／８／１８でありと、「0001.thm」のデータ容量は０．８MBであり、更新日時は２００４／８／１８となる。サムネイルファイル「0001.thm」の更新日時は、対応する複数のExifファイルのうち、最新のExifファイルの生成日時と同じとなる。図１８の例の場合、対応するExifファイルは「yyy0001.jpg乃至yyy0005.jpg」であるので、このうち、最新のExifファイルである「yyy0005.jpg」の生成日時がサムネイルファイルの生成日時となる。
【０１７５】
このとき、FAT領域には、図１９に示される情報が管理される。具体的には、「yyy0001.jpg」のExifファイルの関連情報として、ファイルの格納場所が「／DCIM／１００」とされ、ファイルのデータ容量が「１．５MB」とされ、ファイルの生成日時が「２００４／８／１０」とされている。また、「yyy0002.jpg」のExifファイルの関連情報として、ファイルの格納場所が「／DCIM／１００」とされ、ファイルのデータ容量が「１．５MB」とされ、ファイルの生成日時が「２００４／８／１５」とされている。同様に、これらのExifファイルの関連情報がFAT領域に記録され、管理される。また、「0001.thm」のサムネイルファイルの関連情報として、ファイルの格納場所が「／DCIM／１００」とされ、ファイルのデータ容量が「０．８MB」とされ、ファイルの更新日時が「２００４／８／１８」とされている。このように、図１８に示される、実際にディスクに記録されているファイルの情報と、図１９に示されるFAT領域に登録される情報は一致する。すなわち、図１９のFAT領域で管理される情報を参照することで、どのフォルダにどのようなファイルが記録されているかを知ることができるとともに、そのファイルの生成（または更新）日時やファイルサイズを知ることができる。
【０１７６】
またこのとき、サムネイルファイルには、図２０に示されるように、「yyy0001.jpg乃至yyy0005.jpg」のExifファイルに対応するサムネイル画像データが登録されている。すなわち、図１５の状態では、サムネイルファイル「0001.thm」に「yyy0001.jpg」のExifファイルに対応するサムネイル画像データだけが登録されているので、これに追加して、「yyy0002.jpgサムネイルスロット乃至yyy0005.jpgサムネイルスロット」に、図２０に示されるように「yyy0002.jpgのサムネイル画像データ乃至yyy0005.jpgのサムネイル画像データ」と、それぞれに対応するヘッダが登録される。具体的には、図１５の「yyy0002.jpgサムネイルスロット」に、「yyy0002.jpg」のExifファイルに登録されているサムネイル画像データ（図５参照）が取得され、登録される。同様にして、「yyy0003.jpg乃至yyy0005.jpgサムネイルスロット」に、「yyy0003.jpg乃至yyy0005.jpg」のExifファイルに登録されているサムネイル画像データが登録される。また、それぞれのExifファイル（「yyy0001.jpg乃至yyy0005.jpg」）の生成日時（図１８に示した生成日時）が、それぞれ対応するサムネイルスロットのヘッダに登録される。これにより、サムネイルファイル「0001.thm」に、「yyy0001.jpg乃至yyy0005.jpg」のExifファイルのサムネイル画像データとヘッダとがそれぞれ登録されたことになる。
【０１７７】
図２１は、rootフォルダの中に登録されているファイルやフォルダを説明する図であり、図２２は、図２１の状態においてFAT領域で管理される情報を説明する図であり、図２３は、図２１と図２２の状態におけるサムネイルファイルを説明する図である。なお、実際にはrootフォルダの下にDCIMフォルダが格納されているが、図２１においては簡単のためにDCIMフォルダの下から記載している。
【０１７８】
図２１の例の場合、「DCIM」フォルダには、「１００」、「１０１」、・・・、「９９９」フォルダが格納されている。すなわち、撮影され、得られたデータがこれらの「１００」乃至「９９９」のフォルダに格納されている。「１００」フォルダには、「yyy0001.jpg」、「yyy0002.jpg」、「yyy0401.jpg」、および「yyy0402.jpg」（４つのExifファイル）と、「0001.thm」および「0401.thm」（サムネイルファイル）とが記録されている。「0001.thm」には「yyy0001.jpg」と「yyy0002.jpg」のExifファイルに対応するサムネイル画像データが登録されており、「0401.jpg」には、「yyy0401.jpg」と「yyy0402.jpg」のExifファイルに対応するサムネイル画像データが登録されている（図１３のテーブル参照）。また、「１０１」フォルダには、「yyy0001.jpg」、「yyy0002.jpg」、「yyy0401.jpg」、「yyy0402.jpg」、「yyy0601.jpg」（Exifファイル）と、「0001.thm」、「0401.thm」、および「0601.thm」（３つのサムネイルファイル）とが記録されている。「0001.thm」には「yyy0001.jpg」と「yyy0002.jpg」のExifファイルに対応するサムネイル画像データが登録されており、「0401.thm」には、「yyy0401.jpg」と「yyy0402.jpg」のExifファイルに対応するサムネイル画像データが登録されており、「0601.thm」には、「yyy0601.jpg」のExifファイルに対応するサムネイル画像データが登録されている（図１３のテーブル参照）。同様にして、「９９９」フォルダには、「yyy0001.jpg」（Exifファイル）と「0001.thm」（サムネイルファイル）とが記録されている。このフォルダの「0001.thm」には「yyy0001.jpg」のExifファイルに対応するサムネイル画像データが登録されている（図１３のテーブル参照）。
【０１７９】
すなわち、図１１と図１２の処理の繰り返しにより、「１００」乃至「９９９」の各フォルダの下に、Exifファイルとサムネイルファイルが生成される。ユーザは、図１１のステップＳ１１で撮影を指令する場合に、撮影され、得られた画像データ（すなわち、Exifファイル）の格納場所（フォルダ）を、DCIMフォルダの中であれば指定することができる。そのため、ユーザの操作に基づいて、図２１に示されるように、DCIMフォルダの中に複数のフォルダを生成することができる。
【０１８０】
なお、これらの専用フォルダ（「１００」、「１０１」、・・・、「９９９」）には、所定の数（例えば、１０００個）のファイル、または所定の番号（例えば、０００１乃至０９９９番）までのファイルを格納することができる。具体的には、専用フォルダ「１００」に、ユーザの指令に基づいて１０００個のファイルを記録した後、再度撮影が行われた場合、フォルダ「１０１」が生成され、その撮影により得られたファイルは、フォルダ「１０１」に記録される。例えば、フォルダ「１００」に０００１番（本実施の形態においてはyyy0001.jpgの番号の部分に対応する）乃至０９９９番（本実施の形態においてはyyy0999.jpgの番号の部分に対応する）が順次記録され、再度撮影が行われた場合、図１１のステップＳ１４において、専用フォルダを生成する必要があると判定されて、フォルダ「１０１」が生成され、その撮影により得られたファイルはフォルダ「１０１」に記録される。
【０１８１】
図２１に示される状態において、FAT領域には、図２２に示される情報が管理される。図２２において、図１９と同じ箇所については説明を省略する。図２２の例の場合、「／DCIM／１００」のフォルダに格納されているファイルについて、「yyy0401.jpg」のExifファイルの関連情報として、ファイルの格納場所が「／DCIM／１００」とされ、ファイルのデータ容量が「１．０MB」とされ、ファイルの生成日時が「２００４／８／２５」とされている。すなわち、この「yyy0401.jpg」のExifファイルに対応する撮影においては、ファイルのデータ容量が、「yyy0002.jpg」と比較して「１．０MB」に変更されている。このことは、ユーザがファイルの記録モード（例えば、解像度）を変更するように操作入力部１４に対して指定したためである。また、「yyy0402.jpg」のExifファイルの関連情報として、ファイルの格納場所が「／DCIM／１００」とされ、ファイルのデータ容量が「１．０MB」とされ、ファイルの生成日時が「２００４／８／２６」とされている。また、「0001.thm」のサムネイルファイルの関連情報として、ファイルの格納場所が「／DCIM／１００」とされ、ファイルのデータ容量が「０．８MB」とされ、ファイルの更新日時が「２００４／８／１５」とされている。さらに、「0401.thm」のサムネイルファイルの関連情報として、ファイルの格納場所が「／DCIM／１００」とされ、ファイルのデータ容量が「０．８MB」とされ、ファイルの更新日時が「２００４／８／２６」とされている。同様にして、「／DCIM／１０１」のフォルダに格納されているファイル「yyy0001.jpg」、「yyy0002.jpg」、「yyy0401.jpg」、「yyy0402.jpg」、および「yyy0601.jpg」、並びに「0001.thm」、「0401.thm」、および「0601.thm」の情報が格納されている。また、「／DCIM／９９９」のフォルダに格納されているファイルについて「yyy0001.jpg」のExifファイルの関連情報として、ファイルの格納場所が「／DCIM／９９９」とされ、ファイルのデータ容量が「１．５MB」とされ、ファイルの生成日時が「２００４／８／３０」とされている。また、「0001.thm」のサムネイルファイルの関連情報として、ファイルの格納場所が「／DCIM／９９９」とされ、ファイルのデータ容量が「０．８MB」とされ、ファイルの更新日時が「２００４／８／３０」とされている。このように、図２１に示される、実際にディスクに記録されているファイルの情報と、図２２に示されるFAT領域に登録される情報は一致する。すなわち、図２２のFAT領域で管理される情報を参照することで、どのフォルダにどのようなファイルが記録されているかを知ることができるとともに、そのファイルの生成（または更新）日時やファイルサイズを知ることができる。
【０１８２】
次に、サムネイルファイルに、対応するサムネイル画像データが全て格納された状態について説明する。図２３は、サムネイルファイルに、対応するサムネイル画像データが全て格納された状態を説明する図である。図２３は例えば、図１１と図１２の撮影処理の繰り返しにより、フォルダ「１００」に「yyy0001.jpg乃至yyy0100.jpg」のExifファイルが登録されている場合におけるサムネイルファイルの状態とされる。
【０１８３】
図２３のサムネイルファイルを「0001.thm」とすると、このサムネイルファイルに対応するExifファイルは「yyy0001.jpg乃至yyy0100.jpg」となる（図１３のテーブル参照）。図中、「ヘッダ」と記載されている箇所には、対応するExifファイルの生成日時とExifファイルのデータサイズが記述されている。このように、サムネイルファイルには、最大１００個までのExifファイルに対応するサムネイル画像データを格納することができる。なお、本実施の形態では、１つのサムネイル画像データのためのサイズ（１つのサムネイルスロットのサイズ）を８Kbyteとし、１００個のExifファイルに対応するサムネイル画像データを格納するようにしたが、サイズとデータ量はこれに限定されない。例えば、１つのサムネイル画像データのためのサイズを１６Kbyteとし、５０個のExifファイルに対応するサムネイル画像データを格納するようにしてもよいし、１つのサムネイル画像データのためのサイズを４Kbyteとし、２００個のExifファイルに対応するサムネイル画像データを格納するようにしてもよい。
【０１８４】
このようにして生成された図２３のサムネイルファイルにおいて、例えば、「yyy0003.jpg」のExifファイルに対応するサムネイル画像データを読み出す場合には、Exifファイルの番号から１を減算した値に対して８Kbyteとを乗算した値と、サムネイルファイルの先頭位置（FAT情報で管理されている、サムネイルファイルの先頭位置）に基づいて読み出すことができる。すなわち、サムネイルファイルに１以上のサムネイル画像データが登録されている場合に、サムネイル画像データが登録されていないデータ領域についてもサムネイルスロットとして、連続領域を確保しておくようにしたので、指定されたサムネイル画像データの読み出しを迅速に行なうことができる。
【０１８５】
次に、図２４のフローチャートを参照して、図３の記録再生装置１におけるサムネイル画像表示処理を説明する。なお、この処理は、光磁気ディスク２１にExifファイルとサムネイルファイルが記録されている状態、例えば、図１１と図１２の処理が終了した後、開始される。
【０１８６】
ステップＳ４１において、操作入力部１４は、ユーザからのサムネイル画像の表示の指令を受け付ける。例えば、操作入力部１４は、図１８の「root／DCIM／１００／」のディレクトリの「yyy0003.jpg」のExifファイルに対応するサムネイル画像の表示の指令を受け付ける。操作入力部１４は、受け付けた指令に対応する制御信号を主制御部７１に供給する。主制御部７１は、操作入力部１４からの制御信号を受け付け、画像処理部７５にサムネイル画像の表示を指令する。画像処理部７５の画像処理制御部８１は、このユーザからのサムネイル画像の表示の指令を受け付ける。なお、ここでは、１つのExifファイルに対応するサムネイル画像の表示について説明するが、１つに限らず複数（例えば、６つ）のExifファイルに対応するサムネイル画像の表示を受け付けるようにしてもよい。この場合の例については後述する。
【０１８７】
ステップＳ４２において、画像処理部７５の対応サムネイルファイル特定部８８は、ユーザにより指定されたサムネイル画像に対応するサムネイルファイルを特定する。「root／DCIM／１００／」のディレクトリの「yyy0003.jpg」のExifファイルに対応するサムネイル画像が指定された場合、サムネイルファイル特定部８８は、テーブル記憶部８３に記憶されている図１３のテーブルを参照し、そのサムネイル画像が、同じディレクトリ（「root／DCIM／１００／」のディレクトリ）の「0001.thm」に記録されていることを特定する（なお、実際にはディレクトリの場所なども確認しているものとする）。
【０１８８】
ステップＳ４３において、再生制御部８０は、画像処理部７５の画像処理制御部８１からの制御に基づいて、対応するサムネイルファイルを読み出す。例えば、画像処理制御部８１は、ステップＳ４２の処理でサムネイルファイル「0001.thm」が特定されたので、このサムネイルファイルが光磁気ディスク２１のどの位置に記録されているか否かを、FAT情報に基づいて特定し、ファイルを読み出すよう、再生制御部８０に指令する。再生制御部８０は、この指令に基づいて、指定されたファイルを読み出す。画像処理部７５の画像処理制御部８１は、読み出されたサムネイルファイル（例えば、「0001.thm」のサムネイルファイル）を取得する。
【０１８９】
ステップＳ４４において、サムネイル画像有効判定部８９は、画像処理制御部８１からの制御に基づいて、サムネイルファイルから対応するサムネイルスロットを特定する。例えば、サムネイル画像有効判定部８９は、読み出されたサムネイルファイル「0001.thm」から、対応するサムネイルスロット、すなわち「yyy0003.jpg」のExifファイルに対応するサムネイルスロットを特定する。サムネイルファイルには複数（例えば、１００個）のサムネイルスロット（サムネイル画像データ）が、番号の昇順に格納されるので、図２０の例の場合、サムネイル画像有効判定部８９は、「0001.thm」のサムネイルファイルの先頭アドレスから「｛３（yyy0003.jpgのファイルベース名の番号の部分）−１｝×８Kbyte（＝１６Kbyte）」の位置にあるサムネイルスロットのデータ（またはサムネイル画像データ）を取得する。
【０１９０】
ステップＳ４５において、サムネイル画像有効判定部８９は、取得したサムネイルスロットのヘッダと、FATで管理されているテーブルとを比較する。図１８乃至図２０の例の場合、サムネイル画像有効判定部８９は、図２０の「yyy0003.jpg」のサムネイル画像データのヘッダ（３番目の位置のサムネイルスロットのヘッダ）、すなわち「１．５MB」および「２００４／８／１６」と、図１９のFATで管理されているテーブルの「yyy0003.jpg」に対応するデータ、すなわち、「１．５MB」および「２００４／８／１６」とを比較する。
【０１９１】
ステップＳ４６において、サムネイル画像有効判定部８９は、ヘッダとFATが一致するか否かを判定する。すなわち、ステップＳ４５の処理で比較したデータサイズと生成日時とが、それぞれ一致するか否かが判定される。図１８乃至図２０の「yyy0003.jpg」の例の場合には一致するので、処理はステップＳ４７に進む。
【０１９２】
なお、本実施の形態では、ヘッダに格納されるExifファイルのデータ量およびExifファイルの生成（または更新）日時と、FAT領域に格納されているExifファイルのデータ量およびExifファイルの生成（または更新）日時とが一致するか否かを判定するようにしたが（ステップＳ４６）、比較する対象を、Exifファイルの生成日時のみとしてもよい。例えば、ヘッダに格納されるExifファイルのデータ量が０であれば、そのサムネイルスロットにサムネイル画像データが登録されていないものと判定して（例えば、ステップＳ４６においてＮＯと判定して）、ヘッダに格納されるExifファイルのデータ量が０でなければ、そのヘッダに格納されているExifファイルの生成日時とFAT領域に格納されているExifファイルの生成日時とを比較して、一致するか否かを判定するようにしてもよい。このことは、以下の処理（例えば、図２５の処理）についても同様に適用することができる。
【０１９３】
ステップＳ４６において、ヘッダとFATが一致すると判定された場合、ステップＳ４７において、表示制御部９０は、画像処理制御部８１からの制御に基づいてサムネイル画像の表示部７６への表示を制御する。例えば、表示制御部９０は、図２０の３番目のサムネイルスロットに格納されている「yyy0003.jpgのサムネイル画像データ」を表示させ、処理を終了する。
【０１９４】
ステップＳ４６においてヘッダとFATが一致しないと判定された場合、ステップＳ４７の処理はスキップされ、処理は終了される。すなわち、図１１と図１２の撮影処理で記録されたデータではないファイルのサムネイル画像の表示が指令された場合には、基本的にサムネイルファイルが更新されないので、ヘッダとFATが一致しないことになる。そのため、ヘッダとFATが一致しない場合には、たとえサムネイルファイルの対応するスロットにサムネイル画像データが記録されていたとしても、サムネイル画像を表示しないようにする。
【０１９５】
図２４の処理により、サムネイル画像の表示が指令された場合に、Exifファイルに含まれるサムネイル画像データではなく、サムネイルファイルに含まれるサムネイル画像データを表示するようにしたので、サムネイル画像の表示を迅速に行なうことができる。このことは、Exifファイルを読み出すよりも、サムネイル画像データを読み出す速度の方が早いからである。
【０１９６】
このように、サムネイル画像を表示させる場合に、対応するサムネイルファイルがあり、さらに、サムネイル画像データが存在する場合、そのサムネイルスロットのヘッダの情報とFAT領域に記録されているファイルの情報とが一致すれば、サムネイル画像データを表示し、対応するサムネイルファイルまたは、サムネイル画像データが存在しない場合、対応するExifファイルからサムネイル画像データを取得して表示させることができる。
【０１９７】
また、図２４の例では、ステップＳ４６の処理でＮＯと判定された場合に、Exifファイルからサムネイル画像データを読み出して表示させるようにしたが、Exifファイルからサムネイル画像データを読み出さずに、単にデフォルトの画面（例えば、青画面）等を表示させるようにしてもよい。このことは、以下の処理（例えば、図２５の処理）についても同様に適用することができる。
【０１９８】
なお、図２４の例では、１枚のサムネイル画像を表示する場合について説明したが、表示部７６には、例えば、縮小したサムネイル画像を一度に６枚表示することもできる。ユーザにより６枚のサムネイル画像の表示が指令された場合、６個のExifファイルをそれぞれ読み出し、そのExifファイルからサムネイル画像データを順次取得するよりも、６個のExifファイルに対応するサムネイルファイルを読み出し、サムネイルファイルから６個のExifファイルに対応するサムネイル画像データを読み出す方が、光磁気ディスク２１のリード回数が減るので、より、迅速にサムネイル画像を表示することができる。例えば、図１８において、「yyy0001.jpg乃至yyy0005.jpg」のExifファイルに対応するサムネイル画像の表示が指令された場合、１つのサムネイルファイル「0001.thm」を読み出すだけでよいので、より迅速にサムネイル画像を表示することができる。
【０１９９】
次に、図２５のフローチャートを参照して、図３の記録再生装置１における主画像表示処理について説明する。なお、この処理は、図１１と図１２の処理が終了した後、すなわち、光磁気ディスク２１にExifファイルとサムネイルファイルが記録されている状態で開始される。
【０２００】
ステップＳ６１において、操作入力部１４は、ユーザからの主画像の表示の指令（Exifファイルの表示の指令）を受け付ける。例えば、操作入力部１４は、図１８の「root／DCIM／１００／」のディレクトリの「yyy0003.jpg」のExifファイルに対応する主画像の表示の指令を受け付ける。操作入力部１４は、受け付けた指令に対応する制御信号を主制御部７１に供給する。主制御部７１は、操作入力部１４からの制御信号を受け付け、画像処理部７５に主画像の表示を指令する。画像処理部７５の画像処理制御部８１は、この主画像の表示の指令を受け付ける。なお、ここでは「yyy0003.jpg」のExifファイルに対応する主画像と記述したが、実際には「yyy0003.jpg」のExifファイルの表示が指令されたことを、主画像の表示の指令として受け付けてもよい。
【０２０１】
ステップＳ６２において、画像処理部７５の対応サムネイルファイル特定部８８は、ユーザにより指定された主画像（「Exifファイル」）に対応するサムネイルファイルを特定する。「root／DCIM／１００／」のディレクトリの「yyy0003.jpg」のExifファイルが指定された場合、サムネイルファイル特定部８８は、テーブル記憶部８３に記憶されている図１３のテーブルを参照し、そのサムネイル画像が、同じディレクトリ（「root／DCIM／１００／」のディレクトリ）の「0001.thm」に記録されていることを特定する（なお、実際にはディレクトリの場所なども確認しているものとする）。
【０２０２】
ステップＳ６３において、再生制御部８０は、画像処理部７５の画像処理制御部８１からの制御に基づいて、対応するサムネイルファイルを読み出す。例えば、画像処理制御部８１は、ステップＳ６２の処理でサムネイルファイル「0001.thm」が特定されたので、このサムネイルファイルが光磁気ディスク２１のどの位置に記録されているか否かを、FAT情報に基づいて特定し、ファイルを読み出すよう、再生制御部８０に指令する。再生制御部８０は、この指令に基づいて、指定されたファイルを読み出す。画像処理部７５の画像処理制御部８１は、読み出されたサムネイルファイル（例えば、「0001.thm」のサムネイルファイル）を取得する。
【０２０３】
ステップＳ６４において、サムネイル画像有効判定部８９は、画像処理制御部８１からの制御に基づいて、サムネイルファイルから、指定された主画像（Exifファイル）に対応するサムネイルスロットを特定する。例えば、サムネイル画像有効判定部８９は、読み出されたサムネイルファイル「0001.thm」から、指定されたExifファイル（「yyy0003.jpg」）に対応する３番目のサムネイルスロットを特定する。
【０２０４】
ステップＳ６５において、サムネイル画像有効判定部８９は、特定したサムネイルスロットのヘッダと、FATで管理されているテーブルとを比較する。図１８乃至図２０の例の場合、サムネイル画像有効判定部８９は、図２０の「yyy0003.jpg」のサムネイル画像データ（３番目のサムネイルスロット）のヘッダ、すなわち「１．５MB」および「２００４／８／１６」と、図１９のFATで管理されているテーブルの「yyy0003.jpg」に対応するデータ、すなわち、「１．５MB」および「２００４／８／１６」とを比較する。
【０２０５】
ステップＳ６６において、サムネイル画像有効判定部８９は、ヘッダとFAT（FAT領域に格納されている情報）が一致するか否かを判定する。すなわち、ステップＳ６５の処理で比較したデータサイズと生成日時とが、それぞれ一致するか否かが判定される。図１８乃至図２０の「yyy0003.jpg」の例の場合には一致するので、処理はステップＳ６７に進む。なお、図２４を用いて上述したように、サムネイルスロットのヘッダのデータサイズが０でない場合に、ヘッダの日時とFAT領域に格納されている生成日時が一致するか否かを判定するようにしてもよい。
【０２０６】
ステップＳ６６において、ヘッダとFATが一致すると判定された場合、ステップＳ６７において、表示制御部９０は、画像処理制御部８１からの制御に基づいてサムネイル画像の表示部７６への表示を制御する。例えば、表示制御部９０は、図２０の「yyy0003.jpgのサムネイル画像データ」を表示させる。このとき、表示制御部９０は、例えば、サムネイル画像データに基づいてサムネイル画像を拡大して全画面表示させるように表示を制御する。
【０２０７】
ステップＳ６８において、再生制御部８０は、画像処理制御部８１からの制御に基づいて、指定された主画像、すなわちExifファイルを読み出す。具体的には、再生制御部８０は、図２０の「yyy0003.jpg」のExifファイルを、FAT領域の情報に基づいて読み出す。
【０２０８】
ステップＳ６９において、画像処理制御部８１は、再生制御部８０による主画像（Exifファイル）の読み出しが完了したか否かを判定し、主画像の読み出しが完了するまで待機する。
【０２０９】
ステップＳ６９において、主画像の読み出しが完了したと判定された場合、ステップＳ７０に進み、表示制御部９０は、いま表示部７６に表示させているサムネイル画像に代えて、読み出された主画像を表示させる。具体的には、表示制御部９０は、いま表示部７６に表示させているサムネイル画像に代えて、再生制御部８０により読み出されたExifファイルに含まれる主画像データに基づく画像を、表示部７６に表示させる。
【０２１０】
図２５の処理により、主画像の表示が指令された場合に、主画像を格納しているExifファイルの読み出しが完了するまでの間に、サムネイルファイルに含まれるサムネイル画像を変わりに表示させるようにしたので、迅速に対応する画像（のサムネイル画像）を表示させることができる。Exifファイルの読み出しには時間を要するので、Exifファイルの主画像の表示までの間、代わりにサムネイルファイルに記録されているサムネイル画像を表示させることで、ユーザに対し、表示までの待ち時間を減らすことができる。
【０２１１】
また、複数のExifファイルに対応するサムネイル画像データを複数個まとめてサムネイルファイルとして記録するようにしたので、連続してサムネイル画像を表示させる場合に、光磁気ディスク２１からの読み出し時間を短縮することができる。
【０２１２】
次に、図２６のフローチャートを参照して、図３の記録再生装置１におけるExifファイル削除処理の一例について説明する。なお、この処理は、ユーザにより所定のExifファイルの削除が指令されたとき開始される。例えば、Exifファイルに対応するサムネイル画像または主画像を表示部７６に表示している状態で、ユーザが操作入力部１４に対して、削除の操作を行ったとき開始される。また、この処理は、光磁気ディスク２１にExifファイルとサムネイルファイルが記録されている状態で開始される。
【０２１３】
ステップＳ９１において、操作入力部１４は、ユーザからのExifファイルの削除の指令を受け付ける。例えば、操作入力部１４は、図１８の「root／DCIM／１００／」のディレクトリの「yyy0003.jpg」のExifファイルの削除の指令を受け付ける。操作入力部１４は、受け付けた指令に対応する制御信号を主制御部７１に供給する。主制御部７１は、操作入力部１４からの制御信号を受け付け、画像処理部７５にサムネイル画像の削除を指令する。画像処理部７５の画像処理制御部８１は、このユーザからのExifファイルの削除の指令を受け付ける。
【０２１４】
ステップＳ９２において、画像処理制御部８１は、削除が指令されたExifファイルを削除するよう記録再生制御部７７の記録制御部７９を制御する。例えば、画像処理制御部８１は、削除が指令された図１８の「root／DCIM／１００／」のディレクトリの「yyy0003.jpg」のExifファイルを削除するよう記録制御部７９を制御する。これにより、図２７に示されるように、「root／DCIM／１００／」のディレクトリの「yyy0003.jpg」のExifファイルが削除される。すなわち、図２７は、図１８から「root／DCIM／１００／」のディレクトリの「yyy0003.jpg」のExifファイルを削除した場合の例を示している。
【０２１５】
ステップＳ９３において、サムネイルファイル生成処理部８６は、画像処理制御部８１からの制御に基づいて、削除したExifファイルに対応するサムネイル画像データを、サムネイルファイルから削除するよう記録再生制御部７７の記録制御部７９を制御する。例えば、サムネイルファイル生成処理部８６は、削除された「root／DCIM／１００／」のディレクトリの「yyy0003.jpg」のExifファイルに対応するサムネイル画像データを、対応するサムネイルファイルである「root／DCIM／１００／」のディレクトリの「0001.thm」から削除するよう記録制御部７９を制御する。より具体的には、最初に、対応サムネイルファイル特定部８８が、削除された「root／DCIM／１００／」のディレクトリの「yyy0003.jpg」のExifファイルに対応する図２０のサムネイルファイル「0001.thm」を、テーブル記憶部８３に記憶されたテーブル（図１３）に基づいて特定する。次に、サムネイルファイル生成処理部８６は、特定された図２０のサムネイルファイル「0001.thm」における「yyy0003.jpg」のExifファイルに対応するサムネイル画像データの格納位置（すなわち、yyy0003.jpgのサムネイルスロットの位置）を演算する。ここでは、｛（３−２）×８Kbyte｝＝１６Kbyteが演算される。サムネイルファイル生成処理部８６は、演算した結果に基づいて、yyy0003.jpgサムネイルスロットに記録されているデータを削除するよう記録制御部７９を制御する。これにより、図２０の「yyy0003.jpgのサムネイル画像データ」が削除され、図２８に示されるように、「0001.thm」のサムネイルファイルの３番目の位置（「0001.thm」の先頭アドレスから１６Kbyteの位置）が、「yyy0003.jpgサムネイルスロット」になる。また、ヘッダの位置のデータも全てリセットされる（図２８の例の場合、ヘッダの値が全て０とされる）。すなわち、図２８は、図２０から「yyy0003.jpgのサムネイル画像データ」を削除した場合の例を示している。このとき、図２８の３番目のスロットは、サムネイル画像データを格納する前の状態、すなわち、図１４の３番目のスロットと同じ状態となる。
【０２１６】
ステップＳ９４において、FAT情報処理部８８は、削除したExifファイルに関する情報をFAT領域から削除するように、記録再生制御部７７の記録制御部７９を制御する。これに対して、記録制御部７９は、図１９のFATで管理される情報から「root／DCIM／１００／」のディレクトリの「yyy0003.jpg」のExifファイルに対応する情報を削除する。これにより、図２９に示されるように、「root／DCIM／１００／」のディレクトリの「yyy0003.jpg」の情報が削除される。すなわち、図２９は、図１９から「root／DCIM／１００／」のディレクトリの「yyy0003.jpg」のExifファイルに対応するFAT領域の情報を削除した場合の例を示している。ステップＳ９４の処理の後、処理は終了される。
【０２１７】
このように、記録再生装置１においてExifファイルの削除が指令された場合には、対応するサムネイル画像データが記録されているサムネイルファイルから、対応するサムネイル画像データを削除するようにしたので、サムネイルファイルに記録されているサムネイル画像データと、Exifファイルとを、正確に対応付けることができる。
【０２１８】
なお、光磁気ディスク２１がライトプロテクトされている場合には、記録や削除などの処理は実行されない（以下同様）。
【０２１９】
図２９の処理は、記録再生装置１においてExifファイルを削除する場合について説明したが、サムネイルファイルを更新するプログラムを有していない外部機器において、Exifファイルを削除する場合の処理について、以下に説明する。外部機器は、例えば、図３０に示されるようなパーソナルコンピュータ２００とされる。
【０２２０】
図３０において、CPU２０１は、ROM２０２に記憶されているプログラム、または、記憶部２０８からRAM２０３にロードされたプログラムに従って各種の処理を実行する。RAM２０３にはまた、CPU２０１が各種の処理を実行する上において必要なデータなどが適宜記憶される。
【０２２１】
CPU２０１、ROM２０２、およびRAM２０３は、内部バス２０４を介して相互に接続されている。この内部バス２０４にはまた、入出力インターフェース２０５も接続されている。
【０２２２】
入出力インターフェース２０５には、キーボード、マウスなどよりなる入力部２０６、CRT，LCDなどよりなるディスプレイ、スピーカなどよりなる出力部２０７、ハードディスクなどより構成される記憶部２０８、並びに、モデム、ターミナルアダプタなどより構成される通信部２０９が接続されている。通信部２０９は、電話回線やCATVを含む各種のネットワークを介しての通信処理を行なう。
【０２２３】
入出力インターフェース２０５にはまた、必要に応じてドライブ２１０が接続され、磁気ディスク、光ディスク、光磁気ディスク、あるいは半導体メモリなどによりなるリムーバブルメディア２２１が適宜装着され、それから読み出されたコンピュータプログラムが、必要に応じて記憶部２０８にインストールされる。
【０２２４】
本実施の形態の光磁気ディスク２１は、リムーバブルメディア２２１としてこのドライブ２１０に装着され、記録や再生が制御される。
【０２２５】
次に、図３１のフローチャートを参照して、外部機器におけるExifファイル削除処理を説明する。なお、この処理は、外部機器が図３０のパーソナルコンピュータ２００である場合について説明する。また、この処理は、光磁気ディスク２１（リムーバブルメディア２２１）にExifファイルとサムネイルファイルが記録されている状態で開始される。
【０２２６】
ステップＳ１２１において、入力部２０６は、ユーザからのExifファイルの削除の指令を受け付ける。例えば、入力部２０６は、図２７の「root／DCIM／１００／」のディレクトリの「yyy0004.jpg」のExifファイルの削除の指令を受け付ける。入力部２０６は、受け付けた指令に対応する制御信号を入出力インターフェース２０５と内部バス２０４を介してCPU２０１に供給する。
【０２２７】
ステップＳ１２２において、CPU２０１は、削除が指令されたExifファイルを削除するようドライブ２１０を制御する。例えば、CPU２０１は、削除が指令された図２７の「root／DCIM／１００／」のディレクトリの「yyy0004.jpg」のExifファイルを削除するよう、内部バス２０４と入出力インターフェース２０５とを介してドライブ２１０を制御する。これにより、図３２に示されるように、「root／DCIM／１００／」のディレクトリの「yyy0004.jpg」のExifファイルが削除される。すなわち、図３２は、図２７から「root／DCIM／１００／」のディレクトリの「yyy0004.jpg」のExifファイルを削除した場合の例を示している。
【０２２８】
ステップＳ１２３において、CPU２０１は、削除したExifファイルに関する情報をFAT領域から削除するように、ドライブ２１０を制御する。例えば、CPU２０１は、削除した「root／DCIM／１００／」のディレクトリの「yyy0004.jpg」のExifファイルに対応するFAT領域の情報を削除する。これにより、図３３に示されるように、「root／DCIM／１００／」のディレクトリの「yyy0004.jpg」の情報が削除される。すなわち、図３３は、図２９から「root／DCIM／１００／」のディレクトリの「yyy0004.jpg」のExifファイルに対応するFAT領域の情報を削除した場合の例を示している。ステップＳ１２３の処理の後、処理は終了される。
【０２２９】
このように、外部機器（パーソナルコンピュータ２００）においてExifファイルの削除が指令された場合には、光磁気ディスク２１からExifファイルと、FAT領域におけるExifファイルに対応する情報が削除される。すなわち、図２６の処理とは、サムネイルファイルのサムネイル画像データが削除されない点で異なる。すなわち、外部機器によって、図３２と図３３で示される状態とされても、サムネイルファイルは、図２８のままとなる。
【０２３０】
なお、記録再生装置１において、Exifファイルの削除が指令された場合に、図２６の処理ではなく、図３１の処理を実行するようにしてもよい。すなわち、Exifファイルに対応するサムネイルファイルに格納されているサムネイル画像データは削除せず、Exifファイルと、Exifファイルに対応するFAT領域の情報だけを削除するだけでもよい。またExifファイルの削除が指令された場合に、Exifファイルに対応するFAT領域の情報だけを削除するようにしてもよい。このことは、FAT領域においてExifファイルに対応する情報が削除された場合、通常、Exifファイルを読み出すことができなくなるからである。
【０２３１】
次に、図３４のフローチャートを参照して、外部機器におけるExifファイル記憶処理について説明する。なお、この処理は、外部機器が図３０のパーソナルコンピュータ２００である場合について説明する。また、この処理は、光磁気ディスク２１（リムーバブルメディア２２１）にExifファイルとサムネイルファイルが記録されている状態で開始される。
【０２３２】
ステップＳ１４１において、入力部２０６は、ユーザからの所定のExifファイルの光磁気ディスク２１（リムーバブルメディア２２１としての光磁気ディスク２１）への書き込み指令を受け付ける。例えば、入力部２０６は、図３２の「root／DCIM／１００／」のディレクトリに、「yyy0004.jpg」という名称のExifファイルの書き込みの指令を受け付ける。この「yyy0004.jpg」のExifファイルは、上述した図２７の「yyy0004.jpg」とはデータの内容が異なるものである。入力部２０６は、受け付けた指令に対応する制御信号を入出力インターフェース２０５と内部バス２０４を介してCPU２０１に供給する。
【０２３３】
ステップＳ１４２において、CPU２０１は、指定されたExifファイルを記録させるようドライブ２１０を制御する。例えば、CPU２０１は、書き込みが指令された「yyy0004.jpg」のExifファイルを、図３２の「root／DCIM／１００／」のディレクトリに格納するよう、内部バス２０４と入出力インターフェース２０５とを介してドライブ２１０を制御する。これにより、図３５に示されるように、「root／DCIM／１００／」のディレクトリに「yyy0004.jpg」のExifファイルが記録される。すなわち、図３５は、図３２の「root／DCIM／１００／」のディレクトリに「yyy0004.jpg」のExifファイルを追加した場合の例を示している。ここで、「yyy0004.jpg」のExifファイルは、そのExifファイルのデータ容量が１．８MBであり、Exifファイルの生成日時が２００４／８／３１とされている。
【０２３４】
ステップＳ１４３において、CPU２０１は、記録したExifファイルに関する情報をFAT領域に記録するように、ドライブ２１０を制御する。例えば、CPU２０１は、記録した「root／DCIM／１００／」のディレクトリの「yyy0004.jpg」のExifファイルに関する情報を、FAT領域に記録させる。これにより、図３６に示されるように、「root／DCIM／１００／」のディレクトリの「yyy0004.jpg」に関する情報がFAT領域に記録される。すなわち、図３６は、図３３から「root／DCIM／１００／」のディレクトリの「yyy0004.jpg」のExifファイルに対応するFAT領域の情報を記録した場合の例を示している。FAT領域には、「yyy0004.jpg」のExifファイルの関連情報として、ファイルの格納場所が「／DCIM／１００」とされ、ファイルのデータ容量が「１．８MB」とされ、ファイルの生成日時が「２００４／８／３１」とされている。ステップＳ１４３の処理の後、処理は終了される。
【０２３５】
図３４の処理により、外部機器（パーソナルコンピュータ２００）において、Exifファイルの記録が指令された場合には、光磁気ディスク２１にExifファイルと、FAT領域におけるExifファイルに対応する情報が書き込まれる。すなわち、上述した図１１や図１２の処理とは、サムネイルファイルのサムネイル画像データが記録されない点で異なる。これにより、外部機器によって図３５と図３６に示されるように「yyy0004.jpg」のExifファイルが記録されたとしても、サムネイルファイルは、図２８のままとなる。具体的には、図２７、図２８、および図２９の状態において、図３１の処理で外部機器により「yyy0004.jpg」のExifファイルが削除された場合、光磁気ディスク２１は、図３２、図２８、および図３３の状態となる。すなわち、図２８のサムネイルファイルは更新されない。そして、図３２、図２８、および図３３の状態において、図３４の処理で外部機器により「yyy0004.jpg」のExifファイルが記録された場合、光磁気ディスク２１は、図３５、図２８、および図３６の状態となる。換言すれば、図２８のサムネイルファイルは更新されないことになる。
【０２３６】
このとき、図２７、図２８、および図２９の状態においては、「root／DCIM／１００／」のディレクトリの「yyy0004.jpg」のExifファイルが対応しているが、その後、図３４の処理で記録された「yyy0004.jpg」のExifファイルは、外部機器によって記録されたものであるので、図２８のサムネイルファイルのyyy0004.jpgのサムネイル画像データには対応していない。
【０２３７】
このような図３２、図２８、および図３３の状態において、上述した図２４の処理が実行された場合、例えば、図２８の「root／DCIM／１００／」のディレクトリの「yyy0004.jpg」のExifファイルに対応するサムネイルスロットのヘッダ（データ容量が１．５MB、生成日時が２００４／８／１７）と図３３のFAT領域で管理されている「yyy0004.jpg」のExifファイルの情報（なし）は異なるため、サムネイルファイルから「yyy0004.jpgのサムネイル画像データ」を誤って表示してしまうことがない。すなわち、サムネイル画像の誤表示を避けることができる。また、同様に、この状態で図２５の処理が実行された場合であっても、ヘッダとFATが一致しないので、誤表示を避けることができる。
【０２３８】
また、図３５、図２８、および図３６の状態において、上述した図２４の処理が実行された場合、例えば、図２８の「root／DCIM／１００／」のディレクトリの「yyy0004.jpg」のExifファイルに対応するサムネイルスロットのヘッダ（データ容量が１．５MB、生成日時が２００４／８／１７）と図３６のFAT領域で管理されている「yyy0004.jpg」のExifファイルの情報（データ容量が１．８MB、生成日時が２００４／８／３１）とが異なるため、サムネイルファイルから「yyy0004.jpgのサムネイル画像データ」に基づく画像を誤って表示してしまうことがない。すなわち、サムネイル画像の誤表示を避けることができる。また、同様に、この状態で図２５の処理が実行された場合であっても、ヘッダとFATが一致しないので、誤表示を避けることができる。
【０２３９】
なお、図３４の処理では、Exifファイルを記録する場合の例について説明したが、この処理は他のフォーマットのファイルにも適用することができる。例えば、ドキュメントファイルやMPEG（Moving Picture Expert Group）などのフォーマットのファイルであっても、図３４の処理と同様に記録が行われる。
【０２４０】
次に、外部機器によりデータが変更された場合（例えば、外部機器により、光磁気ディスク２１に対して図３１や図３４の処理が実行された後）における、図３の記録再生装置１の再構築処理について、図３７と図３８のフローチャートを参照して説明する。なお、この処理は、記録再生装置１に光磁気ディスク２１が装着された場合に実行される。
【０２４１】
ステップＳ１７１において、記録再生制御部７７の再生制御部８０は、装着された光磁気ディスク２１を読み込む。
【０２４２】
ステップＳ１７２において、画像処理部７５の画像処理制御部８１は、光磁気ディスク２１を再構築するか否かを判定する。例えば、撮影処理が実行されていたり、音声処理（例えば、音声データの記録や再生）が実行されている場合には、画像処理制御部８１は、光磁気ディスク２１を再構築しないと判定し、処理を終了する。すなわち、記録再生装置１において、処理が実行されていない場合（この処理を実行可能な状態）に、再構築すると判定される。ステップＳ１７２において、再構築すると判定された場合、処理はステップＳ１７３に進む。
【０２４３】
ステップＳ１７３において、記録再生制御部７７の再生制御部８０は、光磁気ディスク２１がライトプロテクトされているか否かを判定する。光磁気ディスク２１がライトプロテクトされていると判定された場合、光磁気ディスク２１にデータを書き込むことができないため、処理は終了される。ステップＳ１７３において、光磁気ディスク２１がライトプロテクトされていないと判定された場合、処理はステップＳ１７４に進む。
【０２４４】
ステップＳ１７４において、対応サムネイルファイル特定部８６は、再生制御部８０により読み出されたデータに基づいて、FAT領域のExifファイルに関連する情報と一致しないサムネイルスロットがあるか否かを判定する。具体的には、対応サムネイルファイル特定部８６は、再生制御部８０から供給されたFAT領域のDCIMフォルダに格納されているExifファイルに関連する情報と、サムネイルファイルに含まれるサムネイルスロットのヘッダとを比較し、一致しないサムネイルスロット（ヘッダ）があるか否かを判定する。
【０２４５】
図３５、図２８、および図３６の状態（例えば図３４の処理の後）について説明すると、図３６のFAT領域のフォルダ「DCIM」のさらに下のフォルダ「１００」に、「yyy0001.jpg乃至yyy0005.jpg」のExifファイル、並びに、「0001.thm」のサムネイルファイルが記録されている。このうち、Exifファイルに対応する情報が判定の対象であるので、「0001.thm」は除かれる。また、図２８のサムネイルファイルには、「yyy0001.jpgのサムネイル画像データ」、「yyy0002.jpgのサムネイル画像データ」、「yyy0004.jpgのサムネイル画像データ」、および「yyy0005.jpgのサムネイル画像データ」が記録され、残りは空きスロットとされている。対応サムネイルファイル特定部８６は、FAT領域のフォルダ「DCIM／１００」のディレクトリの「yyy0001.jpg乃至yyy0005.jpg」のExifファイルと、同じディレクトリのサムネイルファイルに含まれるサムネイルスロットのヘッダとを比較し、一致しないサムネイルスロットがあるか否かを判定する。
【０２４６】
より具体的には、対応サムネイルファイル特定部８６は、FAT領域の「yyy0001.jpg」のExifファイルに関する情報と、サムネイルファイルの「yyy0001.jpgサムネイルスロット」のヘッダに含まれる、データ容量と生成日時（Exifファイルのデータ容量と生成日時）とが一致するか否かを判定する。同様にして、順次FAT領域の「yyy0002.jpg」、「yyy0004.jpg」、「yyy0005.jpg」のExifファイルについて判定する。この例の場合、「yyy0004.jpg」のExifファイルに関する、FAT領域の情報が「DCIM／１００」、「１．８MB」、および「２００４／８／３１」であるのに対し、サムネイル画像データのヘッダの情報は「１．５MB」、および「２００４／８／１７」であるので、サムネイルスロットが一致しないと判定される。なお、例えば、Exifファイルは記録されてはいるが、対応するサムネイルスロットが空き領域である場合でも、サムネイルスロットは一致しないと判定される。
【０２４７】
ステップＳ１７４において、FAT領域のExifファイルに関連する情報と一致しないサムネイルスロットがないと判定された場合、再構築の必要はないので（すなわち、サムネイルファイル、FAT領域、Exifファイルの整合が取れているので）処理は終了される。
【０２４８】
ステップＳ１７４において、FAT領域のExifファイルに関連する情報と一致しないサムネイルスロットがあると判定された場合、処理はステップＳ１７５に進む。ステップＳ１７５において、再生制御部８０は、画像処理制御部８１からの制御に基づいて、一致しないと判定されたFAT領域に格納されているExifファイルに関連する情報に基づいて、Exifファイルを読み出す。再生制御部８０は、例えば、図３５の「DCIM／１００」のディレクトリに格納されている「yyy0004.jpg」のExifファイルを読み出す。このとき、FAT領域のExifファイルに関連する情報と一致しないサムネイルスロットが複数ある場合には、一致しないExifファイルのうちの任意の１つのExifファイルが読み出される。
【０２４９】
ステップＳ１７６において、対応サムネイルファイル特定部８８は、画像処理制御部８１からの制御に基づいて、ステップＳ１７５の処理で読み出されたExifファイルに該当するサムネイルファイルがあるか否かを判定する。具体的には、対応サムネイルファイル特定部８６は、テーブル記憶部８３に記憶されている図１３のテーブルに基づいて、ステップＳ１７５の処理で読み出されたExifファイルに該当するサムネイルファイルがあるか否かを判定する。例えば、ステップＳ１７５で「DCIM／１００」の「yyy0004.jpg」のExifファイルが読み出された場合、対応サムネイルファイル特定部８６は、図１３に基づいて、同じディレクトリ（すなわち「DCIM／１００」）に、「0001.thm」のサムネイルファイル（この「0001.thm」のサムネイルファイルが、ここでは該当するサムネイルファイルとなる）があるか否かを判定する。図３５、図２８、および図３６の状態においては、該当するサムネイルファイルである「0001.thm」があるので、該当するサムネイルファイルがあると判定される。
【０２５０】
ステップＳ１７６において、該当するサムネイルファイルがないと判定された場合、ステップＳ１７７に進み、サムネイルファイル生成処理部８６は、画像処理制御部８１からの制御に基づいて、サムネイルファイルを生成する。具体的には、サムネイルファイル生成処理部８６は、ステップＳ１７５の処理で読み出されたExifファイルに対応するサムネイルファイル（例えば、0001.thmのサムネイルファイル）を生成する。ステップＳ１７６において、該当するサムネイルファイルがあると判定された場合、ステップＳ１７７の処理はスキップされる。
【０２５１】
ステップＳ１７６において、該当するサムネイルファイルがあると判定された場合、またはステップＳ１７７の処理の後、処理はステップＳ１７８に進み、サムネイルファイル生成処理部８６は、Exifファイルからサムネイル画像データを取得する。具体的には、サムネイルファイル生成処理部８６は、ステップＳ１７５の処理で読み出されたExifファイルに含まれるサムネイルデータ（図４のExifファイルのAPP１に含まれる、図５のサムネイルデータ（サムネイル画像データ）を取得する。例えば、サムネイルファイル生成処理部８６は、「yyy0004.jpg」のExifファイルからサムネイル画像データを取得する。
【０２５２】
ステップＳ１７９において、サムネイルファイル生成処理部８６は、サムネイルファイルの対応するスロットに、取得したサムネイル画像（サムネイル画像データ）を登録する。例えば、「yyy0004.jpg」のExifファイルからサムネイル画像データを取得した場合、このExifファイルに対応するスロットである「yyy0004.jpgサムネイルスロット」に、サムネイル画像データを「yyy0004.jpgのサムネイル画像データ」として登録する。これにより、図２８の「0001.thm」のサムネイルファイルの「yyy0004.jpgのサムネイル画像データには、図３９に示されるように登録（更新）される。すなわち、図２８のサムネイルファイルの「yyy0004.jpgのサムネイル画像データ」に、図３５の「yyy0004.jpg」のExifファイルから取得されたサムネイル画像データが更新され、図３９に示される状態となる。
【０２５３】
ステップＳ１８０において、サムネイルファイル生成処理部８６は、サムネイルスロットのヘッダにサイズと日時を登録する。具体的には、サムネイルファイル生成処理部８６は、サムネイルファイルの「yyy0004.jpgサムネイルスロット」のヘッダに、図３５の「yyy0004.jpg」のExifファイルから取得されたExifファイルのデータ容量と生成日時とを登録する。なお、Exifファイルのデータ容量は、上述した図５の０ｔｈ  IFDに書き込まれており、Exifファイルの生成日時は、上述した図５のExif IFDに書き込まれているので、サムネイルファイル生成処理部８６は、Exifファイルからこれらの情報を取得し、サムネイルファイルの「yyy0004.jpgサムネイルスロット」のヘッダに登録する。
【０２５４】
ステップＳ１８１において、記録再生処理部７７の記録制御部７９は、画像処理制御部８１からの制御に基づいて、サムネイルファイルを光磁気ディスク２１に記録させる。このサムネイルファイルは、対応するExifファイルが記録されているフォルダと同じ場所、すなわちこの例の場合、「root／DCIM／１００」の中に格納される。この例の場合、このサムネイルファイル「0001.thm」と同じ名前のサムネイルファイルが既に記録されているため、記録制御部７９は、サムネイルファイルを上書き（更新）する。
【０２５５】
ここまでの処理により、光磁気ディスク２１の「root／DCIM／１００」の中の「yyy0004.jpg」（Exifファイル）と、「0001.thm」（サムネイルファイル）の対応が取れた（整合が取れた）ことになる。すなわち、「yyy0004.jpg」のExifファイルのデータ容量と生成日時が、サムネイルファイル「0001.thm」の４番目のスロットのヘッダに格納されているデータであるExifファイルのデータ容量と生成日時と一致する。
【０２５６】
ステップＳ１８２において、FAT情報処理部８７は、ステップＳ１８１の処理におけるExifファイルの記録に対応してFAT領域を更新するために、光磁気ディスク２１のFAT領域にサムネイルファイルに関する情報を記録（更新）させるよう、記録再生処理部７７の記録制御部７９を制御する。これに対して記録制御部７９は、サムネイルファイルに関する情報を、光磁気ディスク２１のFAT領域に記録（更新）する。
【０２５７】
これにより、図３６のFAT領域の「0001.thm」サムネイルファイルに関連する情報が、図４０に示されるように更新される。具体的には、図３６の「0001.thm」サムネイルファイルの更新日時が「２００４／８／３１」に書き換えられる（ここでは、現在の日時を２００４／８／３１とする）。
【０２５８】
ここまでの処理により、図３５、図２８、および図３６の状態から、図３５、図３９、および図４０の状態まで更新され、ステップＳ１７５の処理で読み出されたExifファイルに関する情報が更新され、ステップＳ１７５の処理でよみだされたExifファイルに対応するサムネイル画像データが、サムネイルファイルに登録（更新）されたことになる。
【０２５９】
ステップＳ１８２の処理の後、処理はステップＳ１８３に進み、対応サムネイルファイル特定部８６は、再生制御部８０により読み出されたデータに基づいて、FAT領域のExifファイルに関連する情報と一致しないサムネイルスロットがまだあるか否かを判定する。この処理はステップＳ１７４の処理と同様である。FAT領域のDCIMフォルダに格納されているExifファイルに関連する情報と、サムネイルファイルに含まれるサムネイルスロットとの比較により一致しないサムネイル画像データがまだあると判定された場合、処理はステップＳ１７５に戻り、それ以降の処理が繰り返される。すなわち、一致していないとされる次のExifファイルに基づいて、サムネイルファイルが更新されるとともにFAT領域の情報が更新される。
【０２６０】
ステップＳ１８３において、FAT領域のExifファイルに関連する情報と一致しないサムネイル画像データがもうないと判定された場合、処理は終了される。
【０２６１】
図３７と図３８の処理により、パーソナルコンピュータなどの外部機器によって、Exifファイルが光磁気ディスク２１に記録された場合であっても、記録再生装置１において再構築することができる。すなわち、新たに追加されたExifファイルに対応するサムネイル画像データを、サムネイルファイルに追加することができるので、追加されたExifファイルのサムネイル画像データに基づく表示であっても、迅速に行なうことができる。
【０２６２】
外部機器によりExifファイルが光磁気ディスク２１に記録された場合であっても、サムネイルファイルの対応するサムネイル画像データ（サムネイルスロット）のヘッダに記録されているExifファイルの生成日時と、FAT領域で管理されているExifファイルの記録日時（生成日時）とは、異なる可能性が高い。そのため、これにより、誤ったサムネイル画像の表示を防ぐことができる。
【０２６３】
なお、図３２、図２８、および図３３の状態においては、サムネイルファイルの４番目のスロットにサムネイル画像データが格納され、図３２と図３３において「yyy0004.jpg」のExifファイルは格納されていないため、サムネイルファイルの４番目のサムネイル画像データ（yyy0004.jpgのサムネイル画像データ）は読み飛ばされる。すなわち、再生はFAT領域の情報に基づいて行われるとともに、FAT領域の情報と、サムネイル画像データのヘッダの情報と荷基づいて行われるので、サムネイルファイルに画像データが登録されていても、有効でないサムネイル画像データは表示されないことになる。
【０２６４】
このように、サムネイルスロットに格納されているデータとExifファイルが対応していない場合でも、整合を取る構成であるので、必ずしも、図３７と図３８の処理が実行されなければいけないという訳ではないく、適宜、実行するようにすればよい。
【０２６５】
以上により、１以上のExifファイルにそれぞれ含まれるサムネイル画像データを１つのサムネイルファイルとして光磁気ディスク２１に記録するようにしたので、サムネイル画像データに対応する画像の表示を迅速に行なうことができる。
【０２６６】
また、Exifファイルが更新された場合、かつ、サムネイルファイルが更新されなかった場合に、すなわち、サムネイルファイルに格納されているサムネイル画像データと、Exifファイルが対応していない場合には、誤ってサムネイルファイルに格納されているサムネイル画像データに基づく画像が表示されることもなく、確実に、対応するサムネイル画像を表示することができる。
【０２６７】
また、サムネイル画像の一覧表示を行なう場合に、各Exifファイルからそれぞれサムネイル画像データを読み出すことなく、１つのサムネイルファイルからサムネイル画像データを読み出して表示することができるので、サムネイル画像の一覧を高速に表示することができる。
【０２６８】
さらに、Exifファイルのファイル名に基づいて、対応するサムネイルファイルのファイル名を一意に決定する構造とするとともに、対応するサムネイル画像データがサムネイルファイル内のどの位置に格納されているかを一意に決定できる構造としたので、キャッシュ管理を容易に行なうことができる。
【０２６９】
なお、以上の例では、記録再生装置１が光磁気ディスク２１に記録させる場合について説明したが、他の記録媒体に記録させる場合についても、本発明は適用できる。例えば、書き換え可能な光ディスク、磁気ディスク、磁気テープ、メモリカード（商標）などを適用することもできる。
【０２７０】
なお、本実施の形態では、サムネイルファイルの拡張子を「thm」としたが、これに限定されない。
【０２７１】
さらに、記録再生装置１は、例えば、小型の携帯機器としてもよい。小型の携帯機器にディスクメディアを記録媒体として搭載し、サムネイル画像を連続して複数枚表示させる場合、従来では、各Exifファイルからサムネイル画像データを読み出していたため、低消費電力が求められているのにもかかわらず、スレッドの度重なる移動によって消費電力が大きくなってしまうという課題があったが、本発明によれば、サムネイルファイルを生成するようにしたので、スレッドの移動回数が抑えられ、消費電力を小さくすることができる。
【０２７２】
例えば、記録メディア（光磁気ディスク２１）へのアクセス速度が遅いデジタルスチルカメラにおいて、本実施の形態のように、各画像ファイル（Exifファイル）にそれぞれ含まれるサムネイル画像のデータを１つのサムネイルファイルにまとめることで、サムネイル画像を高速に表示することができる。また、複数枚（例えば、６枚）のサムネイル画像をデジタルスチルカメラの表示部にまとめて表示させる場合や、サムネイル画像を連続して表示させる場合などに、サムネイルファイルを読み出すだけでよいため、迅速にサムネイル画像を表示させることができる。
【０２７３】
ディスクを記録媒体とする画像の記録や再生が可能な機器において、静止画像一覧表示や、全画面表示を行なう場合に、一般的には、１つの画像の表示の度に、ディスク上の離れた位置からExifファイルを読み出す必要がある。ディスクからExifファイルを読み出す場合、時間を要してしまうため、結果的に、ユーザによる表示の操作から表示部への表示までの時間が大きくなってしまう。そこで、本実施の形態においては、複数のExifファイルに格納されているサムネイル画像データのそれぞれを取得し（コピーし）、１つのファイル（サムネイルファイル）を生成するようにした。すなわち、サムネイル画像データのみを集めたサムネイルファイルを生成するようにした。これにより、ファイルサイズの大きな実画像ファイルにアクセスすることなく、サムネイルファイルにアクセスすることで、高速な画像（サムネイル画像）の表示が可能となる。
【０２７４】
また、サムネイルファイルのサイズは複数のExifファイルの総データサイズに比べて比較的小さく（この例の場合、サムネイルファイルのサイズは０．８Mbyteであり、１つのExifファイルのサイズは、例えば１．５Mbyteであるので）、複数のExifファイルにアクセスする場合に比べて、サムネイル画像データの読み出しを早くすることができる。さらに、サムネイルファイルのサイズが複数のExifファイルの総サイズと比較して大幅に小さいため、ディスク上の連続した記録領域に記録することが容易である。また、ポータブル機器などの低容量メモリを搭載した機器においても、サムネイルファイルのキャッシュが可能となる。
【０２７５】
さらに、サムネイルファイルのファイル構造を、Exifファイルの名前に対応する番号に基づいたものとしたので、キャッシュ管理を容易に行なうことができる。また、サムネイルファイルとExifファイルとの関係をテーブル（例えば、図１３のテーブル）に定めておき、そのテーブルに基づいて生成するようにしたので、サムネイルファイルからより容易にサムネイル画像データを読み出すことができる。
【０２７６】
さらに、Exifファイル１００個につき、１つのサムネイルファイルとし、細かく区切るようにしたので、ディスク上に無駄な領域をつくらないようにすることができる。１つのサムネイルファイルに対応するExifファイルの数は１００個に限定されない。
【０２７７】
また、外部機器によって、Exifファイルに対して操作（編集、上書き、新規作成、削除など）が行われた場合であっても、サムネイルファイルの各スロット（サムネイル画像データ）のヘッダにFAT領域に関するデータを格納するようにしたので、Exifファイルとサムネイルファイル間において不整合があった場合に、その不整合を検出することができる。
【０２７８】
なお、本実施の形態では、ヘッダに、ExifファイルのサイズとExifファイルの生成日時を格納するようにしたが、これに限らず、Exifファイルとサムネイル画像データの関係を正確に対応付ける関連データであればどのようなものであってもよい。
【０２７９】
また、本実施の形態では、Exifファイルからサムネイル画像のデータをコピーして、サムネイルファイルを生成するようにしたが、これに限らず、所定の画像ファイルから、その画像ファイルに含まれる、画像ファイルの関連データをコピーし、複数の画像ファイルの関連データを集めた関連ファイルを生成するようにしてもよい。さらに言えば、画像ファイルにも限定されず、ファイルに関連する情報を含むファイルであれば、他のものにも適用することができる。
【０２８０】
上述した一連の処理は、ハードウエアにより実行させることもできるし、ソフトウエアにより実行させることもできる。一連の処理をソフトウエアにより実行させる場合には、そのソフトウエアを構成するプログラムが、ネットワークや記録媒体からインストールされる。
【０２８１】
この記録媒体は、図３０に示されるように、コンピュータとは別に、ユーザにプログラムを提供するために配布される、プログラムが記録されているリムーバブルメディア２２１よりなるパッケージメディアにより構成されるだけでなく、装置本体にあらかじめ組み込まれた状態でユーザに提供される、プログラムが記録されているROM２０２や記憶部２０８が含まれるハードディスクなどで構成される。
【０２８２】
なお、本明細書において、コンピュータプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【０２８３】
【図１】本発明を適用した記録再生装置の構成例を示すブロック図である。
【図２】図１のメディアドライブ部の構成例を示すブロック図である。
【図３】図１の記録再生装置の機能的構成例を示すブロック図である。
【図４】Exifファイルのフォーマットについて説明する図である。
【図５】図４のAPP1の詳細を説明する図である。
【図６】次世代ＭＤ１システムの仕様のディスクの説明に用いる図である。
【図７】次世代ＭＤ１システムの仕様のディスクの記録領域の説明に用いる図である。
【図８】次世代ＭＤ２システムの仕様のディスクの説明に用いる図である。
【図９】次世代ＭＤ２システムの仕様のディスクの記録領域の説明に用いる図である。
【図１０】ＵＩＤの一例のフォーマットを概略的に示す略線図である。
【図１１】図３の記録再生装置における撮影処理を説明するフローチャートである。
【図１２】図３の記録再生装置における撮影処理を説明するフローチャートである。
【図１３】図３のテーブル記憶部に記憶されるテーブルの例を説明する図である。
【図１４】サムネイルファイルを説明する図である。
【図１５】サムネイルファイルを説明する図である。
【図１６】記録されるファイルを説明する図である。
【図１７】FAT領域で管理される情報を説明する図である。
【図１８】記録されるファイルを説明する図である。
【図１９】FAT領域で管理される情報を説明する図である。
【図２０】サムネイルファイルを説明する図である。
【図２１】記録されるファイルを説明する図である。
【図２２】FAT領域で管理される情報を説明する図である。
【図２３】サムネイルファイルを説明する図である。
【図２４】図３の記録再生装置におけるサムネイル画像表示処理を説明するフローチャートである。
【図２５】図３の記録再生装置における主画像表示処理を説明するフローチャートである。
【図２６】図３の記録再生装置におけるExifファイル削除処理を説明するフローチャートである。
【図２７】記録されるファイルを説明する図である。
【図２８】サムネイルファイルを説明する図である。
【図２９】FAT領域で管理される情報を説明する図である。
【図３０】パーソナルコンピュータの構成例を示すブロック図である。
【図３１】外部機器におけるExifファイル削除処理を説明するフローチャートである。
【図３２】記録されるファイルを説明する図である。
【図３３】FAT領域で管理される情報を説明する図である。
【図３４】外部機器におけるExifファイル記録処理を説明するフローチャートである。
【図３５】記録されるファイルを説明する図である。
【図３６】FAT領域で管理される情報を説明する図である。
【図３７】外部機器によりデータが変更された場合の再構築処理を説明するフローチャートである。
【図３８】外部機器によりデータが変更された場合の再構築処理を説明するフローチャートである。
【図３９】サムネイルファイルを説明する図である。
【図４０】FAT領域で管理される情報を説明する図である。
【符号の説明】
【０２８４】
１  記録再生装置，  ２１  光磁気ディスク，  ７５  画像処理部，  ７７  記録再生制御部，  ７９  記録制御部，  ８０  再生制御部，  ８１  画像処理制御部，  ８２  画像データ取得部，  ８３  テーブル記憶部，  ８４  フォルダ生成部，  ８５  Exifファイル生成部，  ８６  サムネイルファイル生成部，  ８７  FAT情報処理部，  ８８  対応サムネイルファイル特定部，  ８９  サムネイル画像有効判定部，  ９０  表示制御部
【図１】
2006074462.tif 000003
【図２】
2006074462.tif 000004
【図３】
2006074462.tif 000005
【図４】
2006074462.tif 000006
【図５】
2006074462.tif 000007
【図６】
2006074462.tif 000008
【図７】
2006074462.tif 000009
【図８】
2006074462.tif 000010
【図９】
2006074462.tif 000011
【図１０】
2006074462.tif 000012
【図１１】
2006074462.tif 000013
【図１２】
2006074462.tif 000014
【図１３】
2006074462.tif 000015
【図１４】
2006074462.tif 000016
【図１５】
2006074462.tif 000017
【図１６】
2006074462.tif 000018
【図１７】
2006074462.tif 000019
【図１８】
2006074462.tif 000020
【図１９】
2006074462.tif 000021
【図２０】
2006074462.tif 000022
【図２１】
2006074462.tif 000023
【図２２】
2006074462.tif 000024
【図２３】
2006074462.tif 000025
【図２４】
2006074462.tif 000026
【図２５】
2006074462.tif 000027
【図２６】
2006074462.tif 000028
【図２７】
2006074462.tif 000029
【図２８】
2006074462.tif 000030
【図２９】
2006074462.tif 000031
【図３０】
2006074462.tif 000032
【図３１】
2006074462.tif 000033
【図３２】
2006074462.tif 000034
【図３３】
2006074462.tif 000035
【図３４】
2006074462.tif 000036
【図３５】
2006074462.tif 000037
【図３６】
2006074462.tif 000038
【図３７】
2006074462.tif 000039
【図３８】
2006074462.tif 000040
【図３９】
2006074462.tif 000041
【図４０】
2006074462.tif 000042